(57)【要約】  本開示の実施例は、ＣＳＩ処理ユニット及びリソースの処理方法、装置並びにシステムを開示し、通信の技術分野に関する。具体的な技術手段は以下のとおりである：ＵＥにサービスを提供する第１のセルの非アクティブ化を指示するか又はＵＥにソースＢＷＰからターゲットＢＷＰに切り替えるように指示する第１のシグナリングを、ＵＥが基地局から受信し、ターゲット情報が予め設定された条件を満たすと、ＵＥがターゲット情報に対応する第１の処理方式で第１のＣＳＩ処理ユニットを処理し、該ターゲット情報は、少なくとも第１のシグナリングを含み、該第１のＣＳＩ処理ユニットが第１のダウンリンク基準信号リソースに測定を行うＣＳＩ処理ユニットであり、該第１のダウンリンク基準信号リソースが第１のセル又はソースＢＷＰ上のダウンリンク基準信号リソースである。本開示の実施例は、ＵＥがリソースを処理するプロセスに適用される。
2021521759.tif 000002
【特許請求の範囲】
【請求項１】
ユーザ装置ＵＥに用いられる、チャネル状態情報ＣＳＩ処理ユニットの処理方法であって、
前記ＵＥにサービスを提供する第１のセルの非アクティブ化を指示するか又は前記ＵＥにソース帯域幅部分ＢＷＰからターゲットＢＷＰに切り替えるように指示する第１のシグナリングを基地局から受信することと、
ターゲット情報が予め設定された条件を満たすと、前記ターゲット情報に対応する第１の処理方式で第１のＣＳＩ処理ユニットを処理することとを含み、
前記ターゲット情報は、少なくとも前記第１のシグナリングを含み、前記第１のＣＳＩ処理ユニットが第１のダウンリンク基準信号リソースに測定を行うＣＳＩ処理ユニットであり、前記第１のダウンリンク基準信号リソースが前記第１のセル又は前記ソースＢＷＰ上のダウンリンク基準信号リソースである、
チャネル状態情報ＣＳＩ処理ユニットの処理方法。
【請求項２】
第１のシグナリングを基地局から受信した後、さらに、
前記第１のシグナリングと指示情報に基づいて、前記ターゲット情報を決定することを含み、
前記指示情報は、前記基地局が前記ＵＥに対して指示する第１の情報、又は前記基地局が前記ＵＥに対して指示する前記第１の情報と第２の情報であり、前記第１の情報は、前記ＵＥが前記基地局に送信するＣＳＩ報告のタイプを指示し、前記第２の情報は、前記ＵＥが前記基地局に前記ＣＳＩ報告を送信するアップリンクチャネルを指示し、前記ＣＳＩ報告には前記第１のＣＳＩ処理ユニットによる前記第１のダウンリンク基準信号リソースの測定の結果が含まれる、
請求項１に記載のチャネル状態情報ＣＳＩ処理ユニットの処理方法。
【請求項３】
前記ターゲット情報に前記第１のシグナリングが含まれれば、前記ターゲット情報が前記予め設定された条件を満たすことは、前記第１のシグナリングが第１のタイプのシグナリングであることであり、
前記ターゲット情報に前記第１のシグナリングと前記ＣＳＩ報告が含まれれば、前記ターゲット情報が前記予め設定された条件を満たすことは、前記第１のシグナリングが第２のタイプのシグナリングであり、かつ前記ＣＳＩ報告が第１のタイプのＣＳＩ報告であることであり、
前記ターゲット情報に前記第１のシグナリング、前記ＣＳＩ報告及び前記アップリンクチャネルが含まれれば、前記ターゲット情報が前記予め設定された条件を満たすことは、前記第１のシグナリングが第２のタイプのシグナリングであり、前記ＣＳＩ報告が第２のタイプのＣＳＩ報告であり、かつ前記アップリンクチャネルがターゲットアップリンクチャネルであることである、
請求項２に記載のチャネル状態情報ＣＳＩ処理ユニットの処理方法。
【請求項４】
前記第１のタイプのシグナリングがセル非アクティブ化シグナリングであれば、前記第１の処理方式は、ＣＳＩ処理ユニットを解放することであり、
前記ターゲット情報に対応する処理方式で第１のＣＳＩ処理ユニットを処理することは、
前記第１のセル上のダウンリンク基準信号リソースに測定を行うＣＳＩ処理ユニットである前記第１のＣＳＩ処理ユニットを解放することを含む、
請求項３に記載のチャネル状態情報ＣＳＩ処理ユニットの処理方法。
【請求項５】
前記第２のタイプのシグナリングがＢＷＰ切替シグナリングであり、かつ前記第１のタイプのＣＳＩ報告が周期的ＣＳＩ報告又は非周期的ＣＳＩ報告であれば、前記第１の処理方式は、ＣＳＩ処理ユニットを占有することであり、
前記ターゲット情報に対応する処理方式で第１のＣＳＩ処理ユニットを処理することは、
前記ソースＢＷＰ上のダウンリンク基準信号リソースに測定を行うＣＳＩ処理ユニットである前記第１のＣＳＩ処理ユニットを占有することを含む、
請求項３に記載のチャネル状態情報ＣＳＩ処理ユニットの処理方法。
【請求項６】
前記第２のタイプのシグナリングがＢＷＰ切替シグナリングであり、前記第２のタイプのＣＳＩ報告が半永続的ＣＳＩ報告であり、かつ前記ターゲットアップリンクチャネルがアップリンク制御チャネルであれば、前記第１の処理方式は、ＣＳＩ処理ユニットを占有又は解放することであり、
前記ターゲット情報に対応する処理方式で第１のＣＳＩ処理ユニットを処理することは、
前記ソースＢＷＰ上のダウンリンク基準信号リソースに測定を行うＣＳＩ処理ユニットである前記第１のＣＳＩ処理ユニットを占有又は解放することを含む、
請求項３に記載のチャネル状態情報ＣＳＩ処理ユニットの処理方法。
【請求項７】
前記第２のタイプのシグナリングがＢＷＰ切替シグナリングであり、前記第２のタイプのＣＳＩ報告が半永続的ＣＳＩ報告であり、かつ前記ターゲットアップリンクチャネルがアップリンクデータチャネルであれば、前記第１の処理方式は、ＣＳＩ処理ユニットを占有又は解放することであり、
前記ターゲット情報に対応する処理方式で第１のＣＳＩ処理ユニットを処理することは、
前記ソースＢＷＰ上のダウンリンク基準信号リソースに測定を行うＣＳＩ処理ユニットである前記第１のＣＳＩ処理ユニットを占有又は解放することを含む、
請求項３に記載のチャネル状態情報ＣＳＩ処理ユニットの処理方法。
【請求項８】
第１のシグナリングを基地局から受信した後、さらに、
前記ＵＥ中のメディアアクセス制御ＭＡＣエンティティが第２の処理方式で第１のターゲットリソースを処理することを含み、
前記第１のターゲットリソースが前記第１のセル又は前記ソースＢＷＰ上のリソースである、
請求項１に記載のチャネル状態情報ＣＳＩ処理ユニットの処理方法。
【請求項９】
前記第１のシグナリングは、前記第１のセルの非アクティブ化を指示し、前記第１のターゲットリソースは、前記第１のセル上のリソースであり、
前記ＵＥ中のＭＡＣエンティティが第２の処理方式で第１のターゲットリソースを処理することは、
前記ＭＡＣエンティティが前記第２の処理方式で前記第１のセル上のリソースを処理することを含み、
前記方法は、さらに、
前記ＵＥにサービスを提供し前記第１のセルと同じであるか又は異なる第２のセルのアクティブ化を指示する第２のシグナリングを前記基地局から受信することと、
前記ＭＡＣエンティティが第３の処理方式で前記第２のセル上のリソースである第２のターゲットリソースを処理することとを含む、
請求項８に記載のチャネル状態情報ＣＳＩ処理ユニットの処理方法。
【請求項１０】
前記第１のシグナリングは、前記ＵＥにソースＢＷＰからターゲットＢＷＰに切り替えるように指示し、前記第１のターゲットリソースは前記ソースＢＷＰ上のリソースであり、
前記ＵＥ中のＭＡＣエンティティが第２の処理方式で第１のターゲットリソースを処理することは、
前記ＭＡＣエンティティが前記第２の処理方式で前記ソースＢＷＰ上のリソースを処理することを含み、
前記方法は、さらに、
前記ＵＥが切替を完了した後、前記ターゲットＢＷＰ上のリソースのアクティブ化を指示する第２のシグナリングを前記基地局から受信することと、
前記ＭＡＣエンティティが第３の処理方式で前記ターゲットＢＷＰ上のリソースである第２のターゲットリソースを処理することとを含む、
請求項８に記載のチャネル状態情報ＣＳＩ処理ユニットの処理方法。
【請求項１１】
前記第１のシグナリングは、前記ＵＥにソースＢＷＰからターゲットＢＷＰに切り替えるように指示し、前記第１のターゲットリソースは前記ソースＢＷＰ上のリソースであり、
前記ＵＥ中のＭＡＣエンティティが第２の処理方式で第１のターゲットリソースを処理することは、
前記ＭＡＣエンティティが前記第２の処理方式で前記ソースＢＷＰ上のリソースを処理することを含み、
前記方法は、さらに、
前記ＵＥが切替を完了した後、前記ＭＡＣエンティティが第３の処理方式で前記ターゲットＢＷＰ上のリソースである第２のターゲットリソースを処理することとを含む、
請求項８に記載のチャネル状態情報ＣＳＩ処理ユニットの処理方法。
【請求項１２】
前記第２の処理方式は、リソースの解放、リソースの設定情報の解放又はリソースの一時停止であり、
前記第３の処理方式は、前記基地局によって送信されたアクティブ化コマンドに基づいてリソースをアクティブ化するか、又は前記基地局によって送信された設定情報に基づいてリソースをアクティブ化するか又は回復することである、
請求項９〜１１のいずれか１項に記載のチャネル状態情報ＣＳＩ処理ユニットの処理方法。
【請求項１３】
前記第１のターゲットリソース／前記第２のターゲットリソースは、ターゲットダウンリンク基準信号リソースと、ターゲットアップリンク基準信号リソースと、前記ＵＥが前記基地局にＣＳＩ報告を送信するアップリンクチャネルとのうちの少なくとも１項を含み、
前記ターゲットダウンリンク基準信号リソースは前記第１のダウンリンク基準信号リソースを含む、
請求項９〜１１のいずれか１項に記載のチャネル状態情報ＣＳＩ処理ユニットの処理方法。
【請求項１４】
ユーザ装置ＵＥに用いられる、リソースの処理方法であって、
前記ＵＥにサービスを提供する第１のセルの非アクティブ化を指示するか又は前記ＵＥにソース帯域幅部分ＢＷＰからターゲットＢＷＰに切り替えるように指示する第１のシグナリングを基地局から受信することと、
前記ＵＥ中のメディアアクセス制御ＭＡＣエンティティが第１のターゲット処理方式で第１のターゲットリソースを処理することとを含み、
前記第１のターゲットリソースが前記第１のセル又は前記ソースＢＷＰ上のリソースである、リソースの処理方法。
【請求項１５】
前記第１のシグナリングは、前記第１のセルの非アクティブ化を指示し、前記第１のターゲットリソースは、前記第１のセル上のリソースであり、
前記ＵＥ中のＭＡＣエンティティが第１のターゲット処理方式で第１のターゲットリソースを処理することは、
前記ＭＡＣエンティティが第１のターゲット処理方式で前記第１のセル上のリソースを処理することを含み、
前記方法は、さらに、
前記ＵＥにサービスを提供し前記第１のセルと同じであるか又は異なる第２のセルのアクティブ化を指示する第２のシグナリングを前記基地局から受信することと、
前記ＭＡＣエンティティが第２のターゲット処理方式で前記第２のセル上のリソースである第２のターゲットリソースを処理することとを含む、
請求項１４に記載のリソースの処理方法。
【請求項１６】
前記第１のシグナリングは、前記ＵＥにソースＢＷＰからターゲットＢＷＰに切り替えるように指示し、前記第１のターゲットリソースは前記ソースＢＷＰ上のリソースであり、
前記ＵＥ中のＭＡＣエンティティが第１のターゲット処理方式で第１のターゲットリソースを処理することは、
前記ＭＡＣエンティティが前記第１のターゲット処理方式で前記ソースＢＷＰ上のリソースを処理することを含み、
前記方法は、さらに、
前記ＵＥが切替を完了した後、前記ターゲットＢＷＰ上のリソースのアクティブ化を指示する第２のシグナリングを前記基地局から受信することと、
前記ＭＡＣエンティティが第２のターゲット処理方式で前記ターゲットＢＷＰ上のリソースである第２のターゲットリソースを処理することとを含む、
請求項１４に記載のリソースの処理方法。
【請求項１７】
前記第１のシグナリングは、前記ＵＥにソースＢＷＰからターゲットＢＷＰに切り替えるように指示し、前記第１のターゲットリソースは前記ソースＢＷＰ上のリソースであり、
前記ＵＥ中のＭＡＣエンティティが第１のターゲット処理方式で第１のターゲットリソースを処理することは、
前記ＭＡＣエンティティが前記第１のターゲット処理方式で前記ソースＢＷＰ上のリソースを処理することを含み、
前記方法は、さらに、
前記ＵＥが切替を完了した後、前記ＭＡＣエンティティが第２のターゲット処理方式で前記ターゲットＢＷＰ上のリソースである第２のターゲットリソースを処理することとを含む、
請求項１４に記載のリソースの処理方法。
【請求項１８】
前記第１のターゲット処理方式は、リソースの解放、リソースの設定情報の解放又はリソースの一時停止であり、
前記第２のターゲット処理方式は、前記基地局によって送信されたアクティブ化コマンドに基づいてリソースをアクティブ化するか、又は前記基地局によって送信された設定情報に基づいてリソースをアクティブ化するか又は回復することである、
請求項１５〜１７のいずれか１項に記載のリソースの処理方法。
【請求項１９】
前記第１のターゲットリソース／前記第２のターゲットリソースは、ターゲットダウンリンク基準信号リソースと、ターゲットアップリンク基準信号リソースと、前記ＵＥが前記基地局にチャネル状態情報ＣＳＩ報告を送信するアップリンクチャネルとのうちの少なくとも１項を含む、
請求項１５〜１７のいずれか１項に記載のリソースの処理方法。
【請求項２０】
ＵＥにサービスを提供する第１のセルの非アクティブ化を指示するか又は前記ＵＥにソース帯域幅部分ＢＷＰからターゲットＢＷＰに切り替えるように指示する第１のシグナリングを基地局から受信する受信モジュールと、
前記受信モジュールが前記第１のシグナリングを受信した後、ターゲット情報が予め設定された条件を満たすと、前記ターゲット情報に対応する第１の処理方式で第１のチャネル状態情報ＣＳＩ処理ユニットを処理する処理モジュールとを含み、
前記ターゲット情報は、少なくとも前記第１のシグナリングを含み、前記第１のＣＳＩ処理ユニットが第１のダウンリンク基準信号リソースに測定を行うＣＳＩ処理ユニットであり、前記第１のダウンリンク基準信号リソースが前記第１のセル又は前記ソースＢＷＰ上のダウンリンク基準信号リソースである、ユーザ装置ＵＥ。
【請求項２１】
前記ＵＥにサービスを提供する第１のセルの非アクティブ化を指示するか又は前記ＵＥにソース帯域幅部分ＢＷＰからターゲットＢＷＰに切り替えるように指示する第１のシグナリングを基地局から受信する受信モジュールと、
前記受信モジュールが前記第１のシグナリングを受信した後、第１のターゲット処理方式で第１のターゲットリソースを処理するＭＡＣエンティティとを含み、
前記第１のターゲットリソースが前記第１のセル又は前記ソースＢＷＰ上のリソースである、ユーザ装置ＵＥ。
【請求項２２】
プロセッサと、メモリと、前記メモリに記憶されて前記プロセッサ上で実行可能で、前記プロセッサによって実行されると、請求項１〜１３のいずれか１項に記載のチャネル状態情報ＣＳＩ処理ユニットの処理方法のステップ、又は請求項１４〜１９のいずれか１項に記載のリソースの処理方法のステップを実現するコンピュータプログラムと、を含むユーザ装置ＵＥ。
【請求項２３】
請求項２０〜２２のいずれか１項に記載のユーザ装置ＵＥを含む通信システム。
【発明の詳細な説明】
【技術分野】
【０００１】
本願は、２０１８年５月１１日に提出された中国特許出願第２０１８１０４５０８４１．０号の優先権を主張するものであり、その全ての内容は参照により本願に組み込まれる。
【０００２】
本開示は、通信の分野に関し、特にＣＳＩ処理ユニット及びリソースの処理方法、装置並びにシステムに関する。
【背景技術】
【０００３】
通信システムにおいて、ユーザ装置（Ｕｓｅｒ  Ｅｑｕｉｐｍｅｎｔ、ＵＥ）は、基地局にチャネル状態情報（Ｃｈａｎｎｅｌ  Ｓｔａｔｅ  Ｉｎｆｏｒｍａｔｉｏｎ、ＣＳＩ）報告を送信することにより、基地局が該ＣＳＩ報告に基づいてＣＳＩを取得し、該ＣＳＩに基づいてＵＥをスケジューリングすることができる。
【０００４】
一般的に、基地局は、ＵＥがＣＳＩ測定を行うために、基準信号リソース（例えば、ＣＳＩ基準信号（ＣＳＩ  Ｒｅｆｅｒｅｎｃｅ  Ｓｉｇｎａｌ、ＣＳＩ−ＲＳ）リソース）をＵＥに設定又は指示することができる。ＵＥは、基地局によって設定又は指示された基準信号リソースを取得した後、該基準信号リソースに測定プロセスを行うために該基準信号リソースにＣＳＩ処理ユニットを割り当てることができる。ＣＳＩ処理ユニットは、該基準信号リソースを測定した後、測定の結果に処理（例えば、計算、分析など）を行い、処理結果に基づいてＣＳＩ報告を生成することができ、その後に、ＵＥは該ＣＳＩ報告を基地局に送信する。
【０００５】
しかしながら、ＵＥの在圏するセルが非アクティブ化（ｄｅａｃｔｉｖａｔｅ）になるか又はＵＥの動作する帯域幅部分（Ｂａｎｄｗｉｄｔｈ  Ｐａｒｔ、ＢＷＰ）が切り替えると、上記プロセスに従うと、一方では、占有されたＣＳＩ処理ユニットがその対応するＣＳＩ報告に関連する基準信号リソースのみに測定プロセスを行うため、これらのＣＳＩ処理ユニットは、他の基準信号リソースに測定プロセスを行うことができないことになり、その一方では、該測定プロセスに関連する他のリソースが該測定プロセスのみに使用されるため、これらのリソースは、他のプロセスに使用されないことにより、ＵＥ測定プロセスにおけるリソース（上記ＣＳＩ処理ユニットと他のリソースを含む）を浪費し、さらにＵＥ測定プロセスにおけるリソース使用率を低下させる。
【発明の概要】
【発明が解決しようとする課題】
【０００６】
本開示の実施例は、ＵＥ測定プロセスにおけるリソースを浪費し、さらにＵＥ測定プロセスにおけるリソース使用率を低下させるという課題を解決するために、ＣＳＩ処理ユニット及びリソースの処理方法、装置並びにシステムを提供する。
【課題を解決するための手段】
【０００７】
上記技術的課題を解決するために、本開示の実施例は以下の技術手段を採用する。
【０００８】
本開示の実施例の第１の態様に係るＣＳＩ処理ユニットの処理方法は、ＵＥにサービスを提供する第１のセルの非アクティブ化を指示するか又はＵＥにソースＢＷＰからターゲットＢＷＰに切り替えるように指示する第１のシグナリングを、ＵＥが基地局から受信することと、ターゲット情報が予め設定された条件を満たすと、ＵＥがターゲット情報に対応する第１の処理方式で第１のＣＳＩ処理ユニットを処理することとを含み、該ターゲット情報は、少なくとも第１のシグナリングを含み、該第１のＣＳＩ処理ユニットが第１のダウンリンク基準信号リソースに測定を行うＣＳＩ処理ユニットであり、該第１のダウンリンク基準信号リソースが第１のセル又はソースＢＷＰ上のダウンリンク基準信号リソースである。
【０００９】
本開示の実施例の第２の態様に係るＵＥは、受信モジュールと処理モジュールを含む。受信モジュールは、ＵＥにサービスを提供する第１のセルの非アクティブ化を指示するか又はＵＥにソースＢＷＰからターゲットＢＷＰに切り替えるように指示する第１のシグナリングを基地局から受信し、処理モジュールは、受信モジュールが該第１のシグナリングを受信した後、ターゲット情報が予め設定された条件を満たすと、該ターゲット情報に対応する第１の処理方式で第１のＣＳＩ処理ユニットを処理し、該ターゲット情報は、少なくとも該第１のシグナリングを含み、該第１のＣＳＩ処理ユニットが第１のダウンリンク基準信号リソースに測定を行うＣＳＩ処理ユニットであり、該第１のダウンリンク基準信号リソースが該第１のセル又は該ソースＢＷＰ上のダウンリンク基準信号リソースである。
【００１０】
本開示の実施例の第３の態様に係るＵＥは、プロセッサと、メモリと、メモリに記憶されてプロセッサ上で実行可能で、プロセッサによって実行されると、上記第１の態様におけるＣＳＩ処理ユニットの処理方法のステップを実現するコンピュータプログラムとを含む。
【００１１】
本開示の実施例の第４の態様に係るコンピュータ可読記憶媒体は、プロセッサによって実行されると上記第１の態様におけるＣＳＩ処理ユニットの処理方法のステップを実現するコンピュータプログラムが記憶されている。
【００１２】
本開示の実施例の第５の態様に係る通信システムは、上記第２の態様又は第３の態様におけるＵＥを含む。
【００１３】
本開示の実施例では、ＵＥは、第１のシグナリングを基地局から受信した後、ターゲット情報（ターゲット情報が少なくとも第１のシグナリングを含む）が予め設定された条件を満たすと、該ターゲット情報に対応する第１の処理方式で第１のＣＳＩ処理ユニットを処理することができる。ＵＥは、測定プロセスにおいて異なるターゲット情報に基づいて異なる第１の処理方式を決定できるため、異なるターゲット情報に対して、異なる第１の処理方式で第１のＣＳＩ処理ユニットを処理することができ、即ち、ＵＥは、実際の要求に応じて第１のＣＳＩ処理ユニットの使用状況を制御することができる。このように、ＵＥ測定プロセスにおけるＣＳＩ処理ユニットの浪費を減少させることにより、ＵＥ測定プロセスにおけるＣＳＩ処理ユニットの使用率を向上させることができる。
【００１４】
本開示の実施例の第６の態様に係るリソースの処理方法は、ＵＥにサービスを提供する第１のセルの非アクティブ化を指示するか又はＵＥにソースＢＷＰからターゲットＢＷＰに切り替えるように指示する第１のシグナリングを、ＵＥが基地局から受信することと、ＵＥ中のＭＡＣエンティティが第１のターゲット処理方式で第１のターゲットリソースを処理することとを含み、該第１のターゲットリソースが該第１のセル又は該ソースＢＷＰ上のリソースである。
【００１５】
本開示の実施例の第７の態様に係るＵＥは、受信モジュールとＭＡＣエンティティを含む。受信モジュールは、ＵＥにサービスを提供する第１のセルの非アクティブ化を指示するか又はＵＥにソースＢＷＰからターゲットＢＷＰに切り替えるように指示する第１のシグナリングを基地局から受信し、ＭＡＣエンティティは、受信モジュールが該第１のシグナリングを受信した後、第１のターゲット処理方式で第１のターゲットリソースを処理し、該第１のターゲットリソースが該第１のセル又は該ソースＢＷＰ上のリソースである。
【００１６】
本開示の実施例の第８の態様に係るＵＥは、プロセッサと、メモリと、メモリに記憶されてプロセッサ上で実行可能で、プロセッサによって実行されると、上記第６の態様におけるリソースの処理方法のステップを実現するコンピュータプログラムとを含む。
【００１７】
本開示の実施例の第９の態様に係るコンピュータ可読記憶媒体は、プロセッサによって実行されると、上記第６の態様におけるリソースの処理方法のステップを実現するコンピュータプログラムが記憶されている。
【００１８】
本開示の実施例の第１０の態様に係る通信システムは、上記第７の態様又は第８の態様におけるＵＥを含む。
【００１９】
本開示の実施例では、ＵＥは、第１のシグナリングを基地局から受信した後、第１のターゲット処理方式で第１のターゲットリソースを処理することができる。ＵＥは、測定プロセスにおいて異なる第１のターゲット処理方式で第１のターゲットリソースを処理できるため、実際の要求に応じてリソースの使用状況を制御することができる。このように、ＵＥ測定プロセスにおけるリソースの浪費を減少させることにより、ＵＥ測定プロセスにおけるリソースの使用率を向上させることができる。
【図面の簡単な説明】
【００２０】
本開示の実施例の技術手段をより明確に説明するために、以下、本開示の実施例の説明に必要な図面を簡単に説明し、明らかに、以下に説明される図面は、本開示のいくつかの実施例にすぎず、当業者であれば、創造的な労働をしない前提で、これらの図面に基づいて他の図面を得ることができる。
【００２１】
【図１】図１は、本開示の実施例に係る通信システムのアーキテクチャの概略図である。
【図２】図２は、本開示の実施例に係るＣＳＩ処理ユニットの処理方法の概略図（その１）である。
【図３】図３は、本開示の実施例に係るＣＳＩ処理ユニットの処理方法の概略図（その２）である。
【図４】図４は、本開示の実施例に係るＣＳＩ処理ユニットの処理方法の概略図（その３）である。
【図５】図５は、本開示の実施例に係るＣＳＩ処理ユニットの処理方法の概略図（その４）である。
【図６】図６は、本開示の実施例に係るＣＳＩ処理ユニットの処理方法の概略図（その５）である。
【図７】図７は、本開示の実施例に係るＣＳＩ処理ユニットの処理方法の概略図（その６）である。
【図８】図８は、本開示の実施例に係るＣＳＩ処理ユニットの処理方法の概略図（その７）である。
【図９】図９は、本開示の実施例に係るＣＳＩ処理ユニットの処理方法の概略図（その８）である。
【図１０】図１０は、本開示の実施例に係るＣＳＩ処理ユニットの処理方法の概略図（その９）である。
【図１１】図１１は、本開示の実施例に係るＣＳＩ処理ユニットの処理方法の概略図（その１０）である。
【図１２】図１２は、本開示の実施例に係るリソースの処理方法の概略図である。
【図１３】図１３は、本開示の実施例に係るＵＥの第１の概略構成図である。
【図１４】図１４は、本開示の実施例に係るＵＥの第２の概略構成図である。
【図１５】図１５は、本開示の実施例に係るＵＥの第３の概略構成図である。
【図１６】図１６は、本開示の実施例に係るＵＥのハードウェア概略図である。
【発明を実施するための形態】
【００２２】
以下、本開示の実施例における図面を参照しながら、本開示の実施例における技術手段を明確かつ完全的に説明する。明らかに、説明される実施例は、本開示の実施例の一部に過ぎず、全てではない。本開示の実施例に基づいて、当業者が創造的な労働をしない前提で得る他の全ての実施例は、いずれも本開示の保護範囲に属するものである。
【００２３】
本開示の実施例の明細書及び特許請求の範囲における用語「第１」、「第２」などは、異なる対象を区別するためのものであり、対象の特定の順序を説明するためのものではない。例えば、第１の処理方式と第２の処理方式などは、異なる処理方式を区別するためのものであり、処理方式の特定の順序を説明するためのものではない。本開示の実施例の説明において、別に説明しない限り、「複数」とは、２つ又は２つ以上を意味する。
【００２４】
本明細書における「及び／又は」という用語は、関連対象を説明する関連関係であり、３つの関係が存在してもよいことを表し、例えば、Ａ及び／又はＢは、Ａが単独で存在し、Ａ及びＢが同時に存在し、Ｂが単独で存在するという３つの場合を表すことができる。本明細書における「／」という符号は、関連対象が「又は」の関係であることを表し、例えば、Ａ／Ｂは、Ａ又はＢを表す。
【００２５】
本開示の実施例では、「例示的」又は「例えば」などの用語は、例、例証又は例示として表すためのものである。本開示の実施例で「例示的」又は「例えば」と説明される任意の実施例又は設計案は、他の実施例又は設計案よりも好ましい又は有利であると解釈されるべきではない。具体的には、使用される「例示的」又は「例えば」などの用語は、具体的な方式で関連する概念を提示することを目的とする。
【００２６】
以下、本開示の実施例に係るＣＳＩ処理ユニット及びリソースの処理方法、装置並びにシステムにおけるいくつかの概念及び／又は用語を解説する。
【００２７】
ＣＳＩは、チャネル状態情報であり、ＣＳＩは、チャネル品質指標（Ｃｈａｎｎｅｌ  Ｑｕａｌｉｔｙ  Ｉｎｄｉｃａｔｏｒ、ＣＱＩ）、プリコード化マトリクス指標（Ｐｒｅｃｏｄｉｎｇ  Ｍａｔｒｉｘ  Ｉｎｄｉｃａｔｏｒ、ＰＭＩ）、ＣＳＩ−ＲＳリソース指標（ＣＳＩ−ＲＳ  Ｒｅｓｏｕｒｃｅ  Ｉｎｄｉｃａｔｏｒ、ＣＲＩ）、レイヤ指標（Ｌａｙｅｒ  Ｉｎｄｉｃａｔｉｏｎ、ＬＩ）、ランク指標（Ｒａｎｋ  Ｉｎｄｉｃａｔｉｏｎ、ＲＩ）及びＬ１−基準信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）のうちの少なくとも１項を含んでもよい。
【００２８】
周期的（ｐｅｒｉｏｄｉｃ）ＣＳＩ報告は、ＵＥが基地局にＣＳＩ報告を周期的に送信することを指してもよい。  具体的には、無線リソース制御（Ｒａｄｉｏ  Ｒｅｓｏｕｒｃｅ  Ｃｏｎｔｒｏｌ、ＲＲＣ）レイヤは、周期的ＣＳＩ報告のパラメータ（例えば、周期、スロットオフセット及びスロット内のシンボルなど）を設定し、その後にＵＥは、周期的ＣＳＩ報告のパラメータに基づいて、アップリンク制御チャネル（例えば、長／短物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ））を用いて該周期的ＣＳＩ報告を伝送してもよい。
【００２９】
非周期的（ａｐｅｒｉｏｄｉｃ）ＣＳＩ報告は、ＵＥが基地局の指示に基づいて（例えば、基地局によって送信された指示情報を受信した場合）、基地局にＣＳＩ報告を送信することを指してもよい。  具体的には、ＲＲＣレイヤは、非周期的ＣＳＩ報告のパラメータ（例えば、スロットオフセット及びスロット内のシンボルなど）を設定し、その後にＵＥは、基地局によって送信されたダウンリンク制御情報（Ｄｏｗｎｌｉｎｋ  Ｃｏｎｔｒｏｌ  Ｉｎｆｏｒｍａｔｉｏｎ、ＤＣＩ）を受信した後、アップリンクデータチャネル（例えば、物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ））を用いてＣＳＩ報告を伝送してもよく、例えば、ＣＳＩ報告は、複数のコンポーネントキャリアの報告、様々なタイプの報告（ビーム測定の報告及びＣＳＩ測定の報告）などを含んでもよい。
【００３０】
半永続的（ｓｅｍｉ−ｐｅｒｓｉｓｔｅｎｔ）ＣＳＩ報告：ＲＲＣレイヤは、半永続的ＣＳＩ報告のパラメータ（例えば、周期、スロットオフセット及びスロット内のシンボルなど）を設定した後、ＵＥは、ＭＡＣ  ＣＥシグナリングの指示（例えば、アクティブ化／非アクティブ化）に基づいて、アップリンク制御チャネルを用いて半永続的ＣＳＩ報告を送信してもよく、及び／又は、ＵＥは、基地局によって送信されたＤＣＩを受信した後、アップリンクデータチャネルを用いて半永続的ＣＳＩ報告を伝送してもよい。
【００３１】
帯域幅部分（ＢＷＰ）：基地局によってサービスが提供されるセルは、大きな帯域幅（以下、大帯域幅という）をサポートし、ＵＥは複数の小さな帯域幅部分（以下、小帯域幅部分という）で動作可能であり、該大帯域幅のうちのＵＥが動作可能な小帯域幅部分はＢＷＰと呼ばれる。各ＢＷＰは、数値（Ｎｕｍｅｒｏｌｏｇｙ）、帯域幅、周波数位置（ｆｒｅｑｕｅｎｃｙ  ｌｏｃａｔｉｏｎ）などに対応する。各ＢＷＰは、多くとも３つの制御リソースセット（Ｃｏｎｔｒｏｌ  Ｒｅｓｏｕｒｃｅ  Ｓｅｔ、ＣＯＲＥＳＥＴ）を含んでもよい。
【００３２】
本開示の実施例では、セルとキャリアが同じ概念であると理解されてよく、具体的には、キャリアはセルに対応するキャリアであってもよい。例えば、セルのアクティブ化は、セルに対応するキャリアのアクティブ化であると理解されてよく、セルの非アクティブ化はセルに対応するキャリアの非アクティブ化であると理解されてもよい。
【００３３】
本開示の実施例は、ＣＳＩ処理ユニット及びリソースの処理方法、装置並びにシステムを提供し、ＵＥは、基地局によって送信された第１のシグナリングを受信した後、ターゲット情報（ターゲット情報が少なくとも第１のシグナリングを含む）が予め設定された条件を満たすと、該ターゲット情報に対応する第１の処理方式で第１のＣＳＩ処理ユニットを処理することができる。ＵＥは、測定プロセスにおいて異なるターゲット情報に基づいて異なる第１の処理方式を決定できるため、異なるターゲット情報に対して、異なる第１の処理方式で第１のＣＳＩ処理ユニットを処理することができ、即ち、ＵＥは、実際の要求に応じて第１のＣＳＩ処理ユニットの使用状況を制御することができる。このように、ＵＥ測定プロセスにおけるＣＳＩ処理ユニットの浪費を減少させることにより、ＵＥ測定プロセスにおけるＣＳＩ処理ユニットの使用率を向上させることができる。
【００３４】
そして、ＵＥは、基地局によって送信された第１のシグナリングを受信した後、第１のターゲット処理方式で第１のターゲットリソースを処理することができる。ＵＥは、測定プロセスにおいて異なる第１のターゲット処理方式で第１のターゲットリソースを処理できるため、実際の要求に応じてリソースの使用状況を制御することができる。このように、ＵＥ測定プロセスにおけるリソースの浪費を減少させることにより、ＵＥ測定プロセスにおけるリソースの使用率を向上させることができる。
【００３５】
本開示の実施例に係るＣＳＩ処理ユニット及びリソースの処理方法、装置並びにシステムは、通信システムに適用することができる。具体的には、該通信システムに基づいて、ＵＥが測定プロセスを行うときにリソースを処理するプロセスに適用することができる。
【００３６】
例示的には、図１は、本開示の実施例に係る通信システムのアーキテクチャの概略図を示す。図１に示すように、該通信システムは、ＵＥ０１と基地局０２を含んでもよい。ＵＥ０１と基地局０２は接続を確立することができる。
【００３７】
なお、本開示の実施例では、上記図１に示すＵＥ０１と基地局０２の間は無線接続であってもよい。ＵＥ０１と基地局０２の間の接続関係をより明確に示すために、図１は、ＵＥ０１と基地局０２の間の接続関係を実線で示す。
【００３８】
ＵＥは、ユーザに音声及び／又はデータ接続性を提供する装置、有線／無線接続機能を有するハンドヘルド装置、又は無線モデムに接続される他の処理装置である。ＵＥは、無線アクセスネットワーク（Ｒａｄｉｏ  Ａｃｃｅｓｓ  Ｎｅｔｗｏｒｋ、ＲＡＮ）を介して１つ以上のコアネットワーク装置と通信することができる。ＵＥは、携帯電話（又は、「セルラー」電話という）などの携帯端末、及び携帯端末を有するコンピュータであってもよく、携帯式、ポケット、手持ち式、コンピュータ内蔵又は車載の携帯機器であってもよく、それらはＲＡＮと言語及び／又はデータを交換し、例えば、パーソナル通信サービス（Ｐｅｒｓｏｎａｌ  Ｃｏｍｍｕｎｉｃａｔｉｏｎ  Ｓｅｒｖｉｃｅ、ＰＣＳ）電話、コードレス電話、セッション開始プロトコル（ＳＩＰ）電話、無線ローカルループ（Ｗｉｒｅｌｅｓｓ  Ｌｏｃａｌ  Ｌｏｏｐ、ＷＬＬ）局、及びパーソナルディジタルアシスタント（Ｐｅｒｓｏｎａｌ  Ｄｉｇｉｔａｌ  Ａｓｓｉｓｔａｎｔ、ＰＤＡ）などの装置である。ＵＥは、ユーザエージェント（Ｕｓｅｒ  Ａｇｅｎｔ）又は端末装置などと呼ばれてもよい。
【００３９】
基地局は、ＲＡＮに配置されてＵＥに無線通信機能を提供する装置である。基地局は、様々な形態のマクロ基地局、マイクロ基地局、中継局、アクセスポイントなどを含んでもよい。異なる無線アクセス技術を用いるシステムにおいて、基地局機能を有する装置の名称は、異なる可能性があり、例えば、第３世代移動通信（３Ｇ）ネットワークにおいて基地局（Ｎｏｄｅ  Ｂ）と呼ばれるが、ＬＴＥシステムにおいて発展型基地局（ｅｖｏｌｖｅｄ  ＮｏｄｅＢ、ｅＮＢ又はｅＮｏｄｅＢ）と呼ばれる。通信技術の発展に伴い、「基地局」という名称が変化する可能性がある。
【００４０】
以下、図面を参照しながら、具体的な実施例及びその適用シーンにより本開示の実施例に係るＣＳＩ処理ユニット及びリソースの処理方法、装置並びにシステムを詳細に説明する。
【００４１】
なお、以下、２つの具体的な実施例（即ち、実施例１と実施例２）により、それぞれ本開示の実施例に係るＣＳＩ処理ユニットの処理方法、及びリソースの処理方法を詳細に説明する。
【００４２】
実施例１
図１に示す通信システムに基づいて、本開示の実施例に係るＣＳＩ処理ユニットの処理方法は、図２に示すように、以下のステップ２０１〜２０３を含んでもよい。
【００４３】
ステップ２０１では、基地局は、ＵＥに第１のシグナリングを送信する。
【００４４】
本開示の実施例では、上記第１のシグナリングは、ＵＥにサービスを提供する第１のセルの非アクティブ化を指示するか又はＵＥにソースＢＷＰからターゲットＢＷＰに切り替えるように指示することができる。
【００４５】
本開示の実施例では、上記第１のセルはＵＥのサービングセルであってもよい。
【００４６】
好ましくは、本開示の実施例では、上記第１のシグナリングは、セル非アクティブ化シグナリング又はＢＷＰ切替シグナリングであってよく、セル非アクティブ化シグナリングは、第１のセルの非アクティブ化を指示し、ＢＷＰ切替シグナリングは、ＵＥにソースＢＷＰからターゲットＢＷＰに切り替えるように指示する。
【００４７】
好ましくは、本開示の実施例では、上記ＢＷＰ切替シグナリングは、ＵＥにアップリンクＢＷＰ切替を行うように指示するか、又はＵＥにダウンリンクＢＷＰ切替を行うように指示するか、又はＵＥにアップリンクＢＷＰとダウンリンクＢＷＰ切替を行うように指示してもよい。ＢＷＰ切替シグナリングがＵＥにアップリンクＢＷＰ切替を行うように指示することは、周波数分割複信（Ｆｒｅｑｕｅｎｃｙ  Ｄｉｖｉｓｉｏｎ  Ｄｕｐｌｅｘｉｎｇ、ＦＤＤ）システムに適用されてもよく、ＢＷＰ切替シグナリングがＵＥにダウンリンクＢＷＰ切替を行うように指示することは、ＦＤＤシステムに適用されてもよく、ＢＷＰ切替シグナリングがＵＥにアップリンクＢＷＰとダウンリンクＢＷＰ切替を行うように指示することは、時分割複信（Ｔｉｍｅ  Ｄｉｖｉｓｉｏｎ  Ｄｕｐｌｅｘｉｎｇ、ＴＤＤ）システムに適用されてもよい。
【００４８】
好ましくは、本開示の実施例では、基地局は、第１のセルの干渉が大きい（例えば、干渉が第１の予め設定された閾値よりも大きい）こと、信号品質が低い（例えば、信号強度が第２の予め設定された閾値よりも小さい）こと、及び／又はＵＥが予め設定された時間内にサービスがないことを検出すると、ＵＥに第１のシグナリング（例えば、セル非アクティブ化シグナリング）を送信することにより、基地局とＵＥが第１のセルの非アクティブ化を行うことができる。
【００４９】
好ましくは、本開示の実施例では、基地局は、ＲＲＣシグナリング又はＤＣＩをＵＥに送信することにより、ＵＥにソースＢＷＰからターゲットＢＷＰに切り替えるように指示することができ、ＲＲＣシグナリングには第１のシグナリング（例えば、ＢＷＰ切替シグナリング）が搬送され、ＤＣＩには第１のシグナリング（例えば、ＢＷＰ切替シグナリング）が搬送される。
【００５０】
例示的には、基地局は、ＢＷＰ切替シグナリングが搬送されたＤＣＩをＵＥに送信することにより、ＵＥにソースＢＷＰ（例えば、ソースＢＷＰ上の１番目のＣＯＲＥＳＥＴ）からターゲットＢＷＰ（例えば、ターゲットＢＷＰ上の２番目のＣＯＲＥＳＥＴ）に切り替えるように指示することができる。
【００５１】
理解できるように、ＵＥが１番目のＣＯＲＥＳＥＴから２番目のＣＯＲＥＳＥＴに切り替える前に、１番目のＣＯＲＥＳＥＴの所在するソースＢＷＰはアクティブ化（ａｃｔｉｖｅ）な状態のＢＷＰであり、ＵＥが１番目のＣＯＲＥＳＥＴから２番目のＣＯＲＥＳＥＴに切り替えた後、２番目のＣＯＲＥＳＥＴの所在するターゲットＢＷＰはアクティブ化な状態のＢＷＰである。
【００５２】
ステップ２０２では、ＵＥは、基地局によって送信された第１のシグナリングを受信する。
【００５３】
ステップ２０３では、ターゲット情報が予め設定された条件を満たすと、ＵＥは、ターゲット情報に対応する第１の処理方式で第１のＣＳＩ処理ユニットを処理する。
【００５４】
本開示の実施例では、上記ターゲット情報は、少なくとも第１のシグナリングを含み、第１のＣＳＩ処理ユニットは、第１のダウンリンク基準信号リソースに測定を行うＣＳＩ処理ユニットであり、第１のダウンリンク基準信号リソースは、第１のセル又はソースＢＷＰ上のダウンリンク基準信号リソースである。
【００５５】
本開示の実施例では、ＵＥは、測定プロセスにおいて、第１のシグナリングを受信した後、ターゲット情報を決定し、かつ該ターゲット情報が予め設定された条件を満たすか否かを判断し、ターゲット情報が予め設定された条件を満たすと判断すると、該ターゲット情報に対応する第１の処理方式で第１のＣＳＩ処理ユニットを処理することができる。
【００５６】
本開示の実施例では、ＵＥは、基地局によって送信された第１のシグナリングを受信した後、該第１のシグナリングに基づいてターゲット情報を決定することができる。
【００５７】
好ましくは、本開示の実施例では、上記第１のダウンリンク基準信号リソースは、第１のセル上のダウンリンク基準信号リソースであってもよい。該第１のセル上のダウンリンク基準信号リソースは、第１のセル上のチャネル状態情報基準信号（ＣＳＩ−Ｒｅｆｅｒｅｎｃｅ  Ｓｉｇｎａｌ、ＣＳＩ−ＲＳ）リソース、第１のセル上のチャネル状態情報干渉測定（ＣＳＩ−Ｉｎｔｅｒｆｅｒｅｎｃｅ  Ｍｅａｓｕｒｅｍｅｎｔ、ＣＳＩ−ＩＭ）リソース、第１のセル上の同期信号ブロック（Ｓｙｎｃｈｒｏｎｉｓａｔｉｏｎ  Ｓｉｇｎａｌ  Ｂｌｏｃｋ、ＳＳＢ）リソース及び第１のセル上のゼロ電力（Ｚｅｒｏ  Ｐｏｗｅｒ、ＺＰ）ＣＳＩ−ＲＳ）リソースセットのうちの少なくとも１項を含んでもよい。
【００５８】
好ましくは、本開示の実施例では、上記第１のダウンリンク基準信号リソースは、ソースＢＷＰ上のダウンリンク基準信号リソースであってもよい。該ソースＢＷＰ上のダウンリンク基準信号リソースは、ソースＢＷＰ上のＣＳＩ−ＲＳリソース、ソースＢＷＰ上のＣＳＩ−ＩＭリソース、ソースＢＷＰ上のＳＳＢリソース及びソースＢＷＰ上のＺＰ  ＣＳＩ−ＲＳリソースセットのうちの少なくとも１項を含んでもよい。
【００５９】
例示的には、上記ＣＳＩ−ＲＳリソースは、半永続的ＣＳＩリソースであってよく、ＣＳＩ−ＩＭリソースは、半永続的ＣＳＩ−ＩＭリソースであってよく、ＺＰ  ＣＳＩ−ＲＳリソースセットは、半永続的ＺＰ  ＣＳＩ−ＲＳリソースセットであってもよい。
【００６０】
なお、ターゲット情報、及びターゲット情報が予め設定された条件を満たすことについて、以下の実施例において詳細に説明し、ここでは説明を省略する。
【００６１】
なお、本開示の実施例では、上記第１のＣＳＩ処理ユニットが第１のダウンリンク基準信号リソースに測定を行うことは、第１のＣＳＩ処理ユニットによる第１のダウンリンク基準信号リソースの測定プロセスであると理解されてよく、該測定プロセスは、第１のＣＳＩ処理ユニットが第１のダウンリンク基準信号リソースに測定を行い、かつ測定の結果に処理（例えば、計算、分析など）を行い、その後に処理後の結果に基づいてＣＳＩ報告を生成することであってもよい。
【００６２】
本開示の実施例に係るＣＳＩ処理ユニットの処理方法では、ＵＥは、基地局によって送信された第１のシグナリングを受信した後、ターゲット情報（ターゲット情報が少なくとも第１のシグナリングを含む）が予め設定された条件を満たすと、該ターゲット情報に対応する第１の処理方式で第１のＣＳＩ処理ユニットを処理することができる。ＵＥは、測定プロセスにおいて異なるターゲット情報に基づいて異なる第１の処理方式を決定できるため、異なるターゲット情報に対して、異なる第１の処理方式で第１のＣＳＩ処理ユニットを処理することができ、即ち、ＵＥは、実際の要求に応じて第１のＣＳＩ処理ユニットの使用状況を制御することができる。このように、ＵＥ測定プロセスにおけるＣＳＩ処理ユニットの浪費を減少させることにより、ＵＥ測定プロセスにおけるＣＳＩ処理ユニットの使用率を向上させることができる。
【００６３】
好ましくは、本開示の実施例では、図２と組み合わせて、図３に示すように、上記ステップ２０２の後、本開示の実施例に係るＣＳＩ処理ユニットの処理方法は、さらに、以下のステップ３０１を含んでもよい。
【００６４】
ステップ３０１では、ＵＥは、第１のシグナリング及び指示情報に基づいて、ターゲット情報を決定する。
【００６５】
本開示の実施例では、上記指示情報は、基地局がＵＥに対して指示する第１の情報、又は基地局がＵＥに対して指示する第１の情報と第２の情報であってよく、該第１の情報はＵＥが基地局に送信するＣＳＩ報告のタイプを指示し、第２の情報はＵＥが基地局にＣＳＩ報告を送信するアップリンクチャネルを指示し、ＣＳＩ報告には第１のＣＳＩ処理ユニットによる第１のダウンリンク基準信号リソースの測定の結果が含まれる。
【００６６】
好ましくは、本開示の実施例では、上記第１の情報は、ＵＥが基地局に送信するＣＳＩ報告のタイプを指示することができ、該ＣＳＩ報告には第１のタイプのＣＳＩ報告及び第２のタイプのＣＳＩ報告が含まれてもよい。
【００６７】
なお、本開示の実施例では、ＵＥは、受信した時間領域動作情報に基づいてＣＳＩ報告のタイプを決定することができ、該時間領域動作情報は、基地局がＲＲＣシグナリングを介して送信することができる。時間領域動作は、周期、半永続、及び非周期を含んでもよい。また、時間領域動作情報は、さらに、周期の時間、非周期のスロットオフセットなどを含んでもよい。
【００６８】
好ましくは、本開示の実施例では、上記第２の情報は、ＵＥが基地局にＣＳＩ報告を送信するアップリンクチャネルを指示することができ、該アップリンクチャネルはターゲットアップリンクチャネルであってもよい。
【００６９】
好ましくは、本開示の実施例では、ＣＳＩ報告に含まれる第１のダウンリンク基準信号リソースの測定の結果は、ＣＳＩタイプ（Ｔｙｐｅ）、コードブック設定（コードブックサブセット制限（ｃｏｄｅｂｏｏｋ  ｓｕｂｓｅｔ  ｒｅｓｔｒｉｃｔｉｏｎ）の設定とグループベースの報告（ｇｒｏｕｐ  ｂａｓｅｄ  ｒｅｐｏｒｔｉｎｇ）の設定を含む）、時間領域動作情報、ＣＱＩ、ＰＭＩの周波数領域粒度（ＣＳＩ報告バンド（ＣＳＩ報告ｂａｎｄ）及びＰＭＩ／ＣＱＩ報告が広帯域（ｗｉｄｅｂａｎｄ）であるか又はサブバンド（ｓｕｂ−ｂａｎｄ）であるか）、測定制限設定（ｍｅａｓｕｒｅｍｅｎｔ  ｒｅｓｔｒｉｃｔｉｏｎ  ｃｏｎｆｉｇｕｒａｔｉｏｎｓ）、チャネル測定用の時間領域制限（ｔｉｍｅ  Ｒｅｓｔｒｉｃｔｉｏｎ  Ｆｏｒ  Ｃｈａｎｎｅｌ  Ｍｅａｓｕｒｅｍｅｎｔｓ、イネーブルチャネル測定用の時間領域制限（ｔｉｍｅ  ｄｏｍａｉｎ  ｒｅｓｔｒｉｃｔｉｏｎ）の設定）、干渉測定用の時間領域制限（ｔｉｍｅ  Ｒｅｓｔｒｉｃｔｉｏｎ  Ｆｏｒ  Ｉｎｔｅｒｆｅｒｅｎｃｅ  Ｍｅａｓｕｒｅｍｅｎｔｓ、イネーブル干渉測定用の時間領域制限（ｔｉｍｅ  ｄｏｍａｉｎ  ｒｅｓｔｒｉｃｔｉｏｎ）の設定）、ＬＩ、Ｌ１−ＲＳＲＰ、ＣＲＩ、及び同期信号ブロックリソース指示（ＳＳＢ  Ｒｅｓｏｕｒｃｅ  Ｉｎｄｉｃａｔｏｒ、ＳＳＢＲＩ）などを含んでもよい。
【００７０】
好ましくは、本開示の実施例の可能な実施形態では、ＵＥは、基地局によって送信された第１のシグナリングを受信した後、該第１のシグナリングをターゲット情報として決定することができる。
【００７１】
好ましくは、本開示の実施例では、ターゲット情報に第１のシグナリングが含まれれば、ターゲット情報が予め設定された条件を満たすことは、第１のシグナリングが第１のタイプのシグナリングであることであり、ＵＥは、第１のシグナリングに対応する第１の処理方式で第１のＣＳＩ処理ユニットを処理することができる。
【００７２】
好ましくは、本開示の実施例では、第１のタイプのシグナリングがセル非アクティブ化シグナリングであれば、第１の処理方式はＣＳＩ処理ユニットを解放（ｃｌｅａｒ／ｒｅｌｅａｓｅ）することである。図３と組み合わせて、図４に示すように、上記ステップ２０３は、具体的に以下のステップ２０３ａにより実現することができる。
【００７３】
ステップ２０３ａでは、ターゲット情報が予め設定された条件を満たすと、ＵＥは第１のＣＳＩ処理ユニットを解放する。
【００７４】
本開示の実施例では、上記ステップ２０３ａにおける第１のＣＳＩ処理ユニットは、第１のセル上のダウンリンク基準信号リソースに測定を行うＣＳＩ処理ユニットである。
【００７５】
本開示の実施例では、ターゲット情報が第１のシグナリングを含み、該第１のシグナリングが第１のタイプのシグナリングであり、かつ第１のタイプのシグナリングがセル非アクティブ化シグナリングであると、ＵＥは第１のＣＳＩ処理ユニットを解放することができる。
【００７６】
なお、本開示の実施例では、解放は、占有しないと理解されてもよい。例えば、ＵＥが第１のＣＳＩ処理ユニットを解放することは、ＵＥが第１のＣＳＩ処理ユニットを占有しないことであると理解されてもよい。
【００７７】
本開示の実施例では、ターゲット情報が第１のシグナリングを含み、第１のシグナリングが第１のタイプのシグナリングであり、かつ第１のタイプのシグナリングがセル非アクティブ化シグナリングであると、ＵＥは第１のＣＳＩ処理ユニットを解放することができるため、ＵＥ測定プロセスにおける第１のＣＳＩ処理ユニットの浪費を減少させることにより、ＵＥ測定プロセスにおける第１のＣＳＩ処理ユニットの使用率を向上させることができる。
【００７８】
好ましくは、本開示の実施例の別の可能な実施形態では、ＵＥは、第１のシグナリングと第１の情報に基づいて、ターゲット情報を決定することができる。
【００７９】
好ましくは、本開示の実施例では、ターゲット情報に第１のシグナリング及びＣＳＩ報告が含まれれば、ターゲット情報が予め設定された条件を満たすことは、第１のシグナリングが第２のタイプのシグナリングであり、かつＣＳＩ報告が第１のタイプのＣＳＩ報告であることであり、ＵＥは、第１のシグナリング及びＣＳＩ報告に対応する第１の処理方式で第１のＣＳＩ処理ユニットを処理することができる。
【００８０】
好ましくは、本開示の実施例では、第２のタイプのシグナリングがＢＷＰ切替シグナリングであり、かつ第１のタイプのＣＳＩ報告が周期的ＣＳＩ報告又は非周期的ＣＳＩ報告であれば、第１の処理方式はＣＳＩ処理ユニットを占有することである。図３と組み合わせて、図５に示すように、上記ステップ２０３は、具体的に以下のステップ２０３ｂにより実現することができる。
【００８１】
ステップ２０３ｂでは、ターゲット情報が予め設定された条件を満たすと、ＵＥは第１のＣＳＩ処理ユニットを占有する。
【００８２】
本開示の実施例では、上記ステップ２０３ｂにおける第１のＣＳＩ処理ユニットは、ソースＢＷＰ上のダウンリンク基準信号リソースに測定を行うＣＳＩ処理ユニットである。
【００８３】
本開示の実施例では、ターゲット情報が第１のシグナリングとＣＳＩ報告を含み、第１のシグナリングが第２のタイプのシグナリングであり、ＣＳＩ報告が第１のタイプのＣＳＩ報告であり、かつ第２のタイプのシグナリングがＢＷＰ切替シグナリングであり、第１のタイプのＣＳＩ報告が周期的ＣＳＩ報告又は非周期的ＣＳＩ報告であると、ＵＥは第１のＣＳＩ処理ユニットを占有することができる。
【００８４】
なお、周期的ＣＳＩ報告又は非周期的ＣＳＩ報告に対する説明は、上記実施例の説明を参照すればよく、ここでは説明を省略する。
【００８５】
本開示の実施例では、ターゲット情報が第１のシグナリングとＣＳＩ報告を含み、第１のシグナリングが第２のタイプのシグナリングであり、ＣＳＩ報告が第１のタイプのＣＳＩ報告であり、かつ第２のタイプのシグナリングがＢＷＰ切替シグナリングであり、第１のタイプのＣＳＩ報告が周期的ＣＳＩ報告又は非周期的ＣＳＩ報告であると、ＵＥは、第１のＣＳＩ処理ユニットを占有することができ、ＢＷＰ切替シーンでは、周期的ＣＳＩ報告又は非周期的ＣＳＩ報告に対して、ＵＥは、測定プロセスにおいて第１のＣＳＩ処理ユニットを使用し続ける必要があるため、第１のＣＳＩ処理ユニットを占有することにより第１のＣＳＩ処理ユニットを浪費しないと共に、測定プロセスの正常完了を保証することができる。
【００８６】
好ましくは、本開示の実施例の更なる可能な実施形態では、ＵＥは、第１のシグナリング、第１の情報及び第２の情報に基づいて、ターゲット情報を決定することができる。
【００８７】
好ましくは、本開示の実施例では、ターゲット情報に第１のシグナリング、ＣＳＩ報告及びアップリンクチャネルが含まれれば、ターゲット情報が予め設定された条件を満たすことは、第１のシグナリングが第２のタイプのシグナリングであり、ＣＳＩ報告が第２のタイプのＣＳＩ報告であり、かつアップリンクチャネルがターゲットアップリンクチャネルであることであり、ＵＥは、第１のシグナリング、ＣＳＩ報告及びアップリンクチャネルに対応する第１の処理方式で第１のＣＳＩ処理ユニットを処理することができる。
【００８８】
好ましくは、本開示の実施例では、第２のタイプのシグナリングがＢＷＰ切替シグナリングであり、第２のタイプのＣＳＩ報告が半永続的ＣＳＩ報告であり、かつターゲットアップリンクチャネルがアップリンク制御チャネルであれば、第１の処理方式はＣＳＩ処理ユニットを占有又は解放することである。図３と組み合わせて、図６に示すように、上記ステップ２０３は、具体的に以下のステップ２０３ｃにより実現することができる。
【００８９】
ステップ２０３ｃでは、ターゲット情報が予め設定された条件を満たすと、ＵＥは第１のＣＳＩ処理ユニットを占有又は解放する。
【００９０】
本開示の実施例では、上記ステップ２０３ｃにおける第１のＣＳＩ処理ユニットは、ソースＢＷＰ上のダウンリンク基準信号リソースに測定を行うＣＳＩ処理ユニットである。
【００９１】
本開示の実施例では、ターゲット情報が第１のシグナリング、ＣＳＩ報告及びアップリンクチャネルを含み、第１のシグナリングが第２のタイプのシグナリングであり、ＣＳＩ報告が第２のタイプのＣＳＩ報告であり、アップリンクチャネルがターゲットアップリンクチャネルであり、かつ第２のタイプのシグナリングがＢＷＰ切替シグナリングであり、第２のタイプのＣＳＩ報告が半永続的ＣＳＩ報告であり、ターゲットアップリンクチャネルがアップリンク制御チャネルであると、ＵＥは、第１のＣＳＩ処理ユニットを占有又は解放することができる。
【００９２】
好ましくは、本開示の実施例では、ターゲット情報が第１のシグナリング、ＣＳＩ報告及びアップリンクチャネルを含み、第１のシグナリングが第２のタイプのシグナリングであり、ＣＳＩ報告が第２のタイプのＣＳＩ報告であり、アップリンクチャネルがターゲットアップリンクチャネルであり、かつ第２のタイプのシグナリングがＢＷＰ切替シグナリングであり、第２のタイプのＣＳＩ報告が半永続的ＣＳＩ報告であり、ターゲットアップリンクチャネルがアップリンク制御チャネルであると、ＵＥは、第１のＣＳＩ処理ユニットを占有することができる。
【００９３】
好ましくは、本開示の実施例では、アップリンク制御チャネルは、ＰＵＣＣＨを含んでもよい。
【００９４】
本開示の実施例では、ターゲット情報が第１のシグナリング、ＣＳＩ報告及びアップリンクチャネルを含み、第１のシグナリングが第２のタイプのシグナリングであり、ＣＳＩ報告が第２のタイプのＣＳＩ報告であり、アップリンクチャネルがターゲットアップリンクチャネルであり、かつ第２のタイプのシグナリングがＢＷＰ切替シグナリングであり、第２のタイプのＣＳＩ報告が半永続的ＣＳＩ報告であり、ターゲットアップリンクチャネルがアップリンク制御チャネルであると、ＵＥは、第１のＣＳＩ処理ユニットを占有することができ、ＢＷＰ切替シーンでは、アップリンク制御チャネルに対して、ＵＥは、測定プロセスにおいて第１のＣＳＩ処理ユニットを使用し続ける必要があるため、第１のＣＳＩ処理ユニットを浪費しないと共に、測定プロセスの正常完了を保証することができる。
【００９５】
好ましくは、本開示の実施例では、第２のタイプのシグナリングがＢＷＰ切替シグナリングであり、第２のタイプのＣＳＩ報告が半永続的ＣＳＩ報告であり、かつターゲットアップリンクチャネルがアップリンクデータチャネルであれば、第１の処理方式は、ＣＳＩ処理ユニットを占有又は解放することである。図３と組み合わせて、図７に示すように、上記ステップ２０３は、具体的に以下のステップ２０３ｄにより実現することができる。
【００９６】
ステップ２０３ｄでは、ターゲット情報が予め設定された条件を満たすと、ＵＥは、第１のＣＳＩ処理ユニットを占有又は解放する。
【００９７】
本開示の実施例では、上記ステップ２０３ｄにおける第１のＣＳＩ処理ユニットは、ソースＢＷＰ上のダウンリンク基準信号リソースに測定を行うＣＳＩ処理ユニットである。
【００９８】
本開示の実施例では、ターゲット情報が第１のシグナリング、ＣＳＩ報告及びアップリンクチャネルを含み、第１のシグナリングが第２のタイプのシグナリングであり、ＣＳＩ報告が第２のタイプのＣＳＩ報告であり、アップリンクチャネルがターゲットアップリンクチャネルであり、かつ第２のタイプのシグナリングがＢＷＰ切替シグナリングであり、第２のタイプのＣＳＩ報告が半永続的ＣＳＩ報告であり、ターゲットアップリンクチャネルがアップリンクデータチャネルであると、ＵＥは、第１のＣＳＩ処理ユニットを占有又は解放することができる。
【００９９】
好ましくは、本開示の実施例では、ターゲット情報が第１のシグナリング、ＣＳＩ報告及びアップリンクチャネルを含み、第１のシグナリングが第２のタイプのシグナリングであり、ＣＳＩ報告が第２のタイプのＣＳＩ報告であり、アップリンクチャネルがターゲットアップリンクチャネルであり、かつ第２のタイプのシグナリングがＢＷＰ切替シグナリングであり、第２のタイプのＣＳＩ報告が半永続的ＣＳＩ報告であり、ターゲットアップリンクチャネルがアップリンクデータチャネルであると、ＵＥは、第１のＣＳＩ処理ユニットを解放することができる。
【０１００】
好ましくは、本開示の実施例では、アップリンクデータチャネルは、ＰＵＣＣＨを含んでもよい。
【０１０１】
本開示の実施例では、ターゲット情報が第１のシグナリング、ＣＳＩ報告及びアップリンクチャネルを含み、第１のシグナリングが第２のタイプのシグナリングであり、ＣＳＩ報告が第２のタイプのＣＳＩ報告であり、アップリンクチャネルがターゲットアップリンクチャネルであり、かつ第２のタイプのシグナリングがＢＷＰ切替シグナリングであり、第２のタイプのＣＳＩ報告が半永続的ＣＳＩ報告であり、ターゲットアップリンクチャネルがアップリンクデータチャネルであると、ＵＥは、第１のＣＳＩ処理ユニットを解放することができるため、ＵＥ測定プロセスにおける第１のＣＳＩ処理ユニットの浪費を減少させることにより、ＵＥ測定プロセスにおける第１のＣＳＩ処理ユニットの使用率を向上させることができる。
【０１０２】
本開示の実施例では、ターゲット情報が第１のシグナリング、ＣＳＩ報告及びアップリンクチャネルを含み、第１のシグナリングが第２のタイプのシグナリングであり、ＣＳＩ報告が第２のタイプのＣＳＩ報告であり、アップリンクチャネルがターゲットアップリンクチャネルであり、かつ第２のタイプのシグナリングがＢＷＰ切替シグナリングであり、第２のタイプのＣＳＩ報告が半永続的ＣＳＩ報告であり、ターゲットアップリンクチャネルがアップリンクデータチャネルであると、ＵＥは、第１のＣＳＩ処理ユニットを解放又は占有することができ、ＢＷＰ切替シーンでは、アップリンクデータチャネルに対して、ＵＥは、測定プロセスにおいて第１のＣＳＩ処理ユニットを使用し続ける必要があるため、第１のＣＳＩ処理ユニットを浪費しないと共に、測定プロセスの正常完了を保証することができる。
【０１０３】
理解できるように、本開示の実施例では、ＵＥは、第１のＣＳＩ処理ユニットを解放した後、測定プロセスを再度行うと、ＣＳＩ処理ユニットを再割り当てすることができる。
【０１０４】
好ましくは、本開示の実施例では、図２と組み合わせて、図８に示すように、上記ステップ２０２の後、本開示の実施例に係るＣＳＩ処理ユニットの処理方法は、さらに、以下のステップ４０１を含んでもよい。
【０１０５】
ステップ４０１では、ＵＥは、第２の処理方式で第１のターゲットリソースを処理する。
【０１０６】
本開示の実施例では、ＵＥ中のメディアアクセス制御（Ｍｅｄｉａ  Ａｃｃｅｓｓ  Ｃｏｎｔｒｏｌ、ＭＡＣ）エンティティは、第２の処理方式で第１のターゲットリソースを処理することができ、該第１のターゲットリソースが第１のセル又はソースＢＷＰ上のリソースである。
【０１０７】
好ましくは、本開示の実施例では、上記第２の処理方式は、リソースの解放であってもよく、リソースの設定情報の解放（例えば、ＲＲＣ設定情報の削除）であってもよく、リソースの一時停止（ｓｕｓｐｅｎｄ）であってもよい。
【０１０８】
好ましくは、本開示の実施例では、ＵＥは、第２の処理方式で第１のターゲットリソースを解放してもよく、第２の処理方式で第１のターゲットリソースの設定情報を解放してもよく、第２の処理方式で第１のターゲットリソースを一時停止してもよい。
【０１０９】
好ましくは、本開示の実施例では、上記第１のターゲットリソースは、ターゲットダウンリンク基準信号リソースと、ターゲットアップリンク基準信号リソースと、ＵＥが基地局にＣＳＩ報告を送信するアップリンクチャネルとのうちの少なくとも１項を含んでよく、ターゲットダウンリンク基準信号リソースは、第１のダウンリンク基準信号リソースを含む。
【０１１０】
好ましくは、本開示の実施例では、第１のセル上のリソースは、第１のセル上のターゲットダウンリンク基準信号リソースと、第１のセル上のターゲットアップリンク基準信号リソースと、第１のセル上の、ＵＥが基地局にＣＳＩ報告を送信するアップリンクチャネルとのうちの少なくとも１項を含んでよく、第１のセル上のターゲットダウンリンク基準信号リソースは、第１のセル上のダウンリンク基準信号リソースを含んでもよい。
【０１１１】
好ましくは、本開示の実施例では、ソースＢＷＰ上のリソースは、ソースＢＷＰ上のターゲットダウンリンク基準信号リソースと、ソースＢＷＰ上のターゲットアップリンク基準信号リソースと、ソースＢＷＰ上の、ＵＥが基地局にＣＳＩ報告を送信するアップリンクチャネルとのうちの少なくとも１項を含んでよく、ソースＢＷＰ上のターゲットダウンリンク基準信号リソースは、ソースＢＷＰ上のダウンリンク基準信号リソースを含んでもよい。
【０１１２】
好ましくは、本開示の実施例では、上記ターゲットダウンリンク基準信号リソースは、第１のセル上のダウンリンク基準信号リソース又はソースＢＷＰ上のダウンリンク基準信号リソースを含んでもよい。
【０１１３】
なお、第１のセル上のダウンリンク基準信号リソース又はソースＢＷＰ上のダウンリンク基準信号リソースに対する説明は、上記実施例における説明を参照すればよく、ここでは説明を省略する。
【０１１４】
好ましくは、本開示の実施例では、上記ターゲットアップリンク基準信号リソースは第１のセル上のアップリンク基準信号リソース又はソースＢＷＰ上のアップリンク基準信号リソースを含んでもよい。
【０１１５】
好ましくは、本開示の実施例では、上記第１のセル上のアップリンク基準信号リソースは、チャネルサウンディング基準信号（Ｓｏｕｎｄｉｎｇ  Ｒｅｆｅｒｅｎｃｅ  Ｓｉｇｎａｌ、ＳＲＳ）リソースを含んでよく、上記ソースＢＷＰ上のアップリンク基準信号リソースは、ソースＢＷＰ上のＳＲＳリソースを含んでもよい。
【０１１６】
例示的には、上記ＳＲＳリソースは、半永続的ＳＲＳリソースであってもよい。
【０１１７】
好ましくは、本開示の実施例では、上記ＵＥが基地局にＣＳＩ報告を送信するアップリンクチャネルは、第１のセル上の、ＵＥが基地局にＣＳＩ報告を送信するアップリンクチャネル、又はソースＢＷＰ上の、ＵＥが基地局にＣＳＩ報告を送信するアップリンクチャネルを含んでもよい。
【０１１８】
好ましくは、本開示の実施例では、上記第１のセル上の、ＵＥが基地局にＣＳＩ報告を送信するアップリンクチャネルは、第１のセル上のアップリンク制御チャネル（例えば、ＰＵＣＣＨ）とアップリンクデータチャネル（例えば、ＰＵＳＣＨ）であってもよい。上記ソースＢＷＰ上の、ＵＥが基地局にＣＳＩ報告を送信するアップリンクチャネルは、ソースＢＷＰ上のアップリンク制御チャネル（例えば、ＰＵＣＣＨ）とアップリンクデータチャネル（例えば、ＰＵＳＣＨ）であってもよい。
【０１１９】
例示的には、ＵＥが基地局に半永続的ＣＳＩ報告を送信するアップリンクチャネルは、ＰＵＣＣＨであってもよい。
【０１２０】
なお、本開示の実施例では、ステップ４０１とステップ２０３の実行順序を限定しない。具体的には、一実施形態では、ステップ２０３を実行してから、ステップ４０１を実行してもよく、即ち、ＵＥは、第１の処理方式で第１のＣＳＩ処理ユニットを処理してから、第２の処理方式で第１のターゲットリソースを処理することができる。別の実施形態では、ステップ４０１を実行してから、ステップ２０３を実行してもよく、即ち、ＵＥは、第２の処理方式で第１のターゲットリソースを処理してから、第１の処理方式で第１のＣＳＩ処理ユニットを処理することができる。別の実施形態では、ステップ２０３とステップ４０１を同時に実行してもよく、即ち、ＵＥは、第１の処理方式で第１のＣＳＩ処理ユニットを処理する同時に第２の処理方式で第１のターゲットリソースを処理することができる。
【０１２１】
本開示の実施例では、ＵＥが測定プロセスにおいて、第１のシグナリングを受信した後、第２の処理方式で第１のターゲットリソースを処理すると共に、ターゲット情報に対応する第１の処理方式で第１のＣＳＩ処理ユニットを処理することができるため、ＵＥ測定プロセスにおけるリソース（第１のＣＳＩ処理ユニットと第１のターゲットリソース）の浪費を減少させることにより、ＵＥ測定プロセスにおけるリソースの使用率を向上させることができる。
【０１２２】
好ましくは、本開示の実施例では、上記第１のシグナリングは、第１のセルの非アクティブ化を指示し、第１のターゲットリソースは、第１のセル上のリソースである。図８と組み合わせて、図９に示すように、上記ステップ４０１は具体的に以下のステップ４０１ａにより実現することができ、かつ上記ステップ４０１の後に、本開示の実施例に係るＣＳＩ処理ユニットの処理方法は、さらに、以下のステップ５０１〜ステップ５０３を含んでもよい。
【０１２３】
ステップ４０１ａでは、ＵＥは、第２の処理方式で第１のセル上のリソースを処理する。
【０１２４】
本開示の実施例では、ＵＥ中のＭＡＣエンティティは、第２の処理方式で第１のセル上のリソースを処理することができる。
【０１２５】
なお、第２の処理方式と第１のセル上のリソースに関する説明は、上記実施例における説明を参照すればよく、ここでは説明を省略する。
【０１２６】
ステップ５０１では、基地局は、ＵＥに第２のシグナリングを送信する。
【０１２７】
本開示の実施例では、上記ステップ５０１における第２のシグナリングは、ＵＥにサービスを提供し第１のセルと同じであるか又は異なる第２のセルのアクティブ化を指示することができる。
【０１２８】
本開示の実施例では、上記第２のセルは、ＵＥのサービングセルであってもよい。
【０１２９】
理解できるように、本開示の実施例では、ＵＥが第１のセルに在圏すると、第１のセルは、ＵＥのサービングセルであり、ＵＥが第２のセルに在圏すると、第２のセルは、ＵＥのサービングセルである。
【０１３０】
本開示の実施例では、基地局はＵＥに第２のシグナリング（例えば、セルアクティブ化シグナリング）を送信することにより、基地局とＵＥが第２のセルのアクティブ化を行うことができる。
【０１３１】
ステップ５０２では、ＵＥは、基地局によって送信された第２のシグナリングを受信する。
【０１３２】
ステップ５０３では、ＵＥは、第３の処理方式で第２のターゲットリソースを処理する。
【０１３３】
本開示の実施例では、ＵＥ中のＭＡＣエンティティは、第３の処理方式で第２のセル上のリソースである第２のターゲットリソースを処理することができる。
【０１３４】
好ましくは、本開示の実施例では、上記第２の処理方式は、リソースの解放、リソースの設定情報の解放又はリソースの一時停止である。第３の処理方式は、基地局によって送信されたアクティブ化コマンドに基づいてリソースをアクティブ化するか、又は基地局によって送信された設定情報に基づいてリソースをアクティブ化するか又は回復することである。
【０１３５】
好ましくは、本開示の実施例では、ＵＥは、第２の処理方式で第１のターゲットリソースを処理した後、第２のシグナリングを受信した後、第３の処理方式で第２のターゲットリソースを処理することができる。
【０１３６】
本開示の実施例では、ＵＥが第２のシグナリングを受信する前に、第２のターゲットリソースが解放される状態であれば、ＵＥが第２のシグナリングを受信した後に採用する第３の処理方式は、第２のターゲットリソースをアクティブ化することであり、ＵＥが第２のシグナリングを受信する前に、第２のターゲットリソースが解放されるか又は設定情報が削除された状態であれば、ＵＥが第２のシグナリングを受信した後に採用する第３の処理方式は、基地局によって送信された設定情報に基づいて第２のターゲットリソースをアクティブ化することであり、ＵＥが第２のシグナリングを受信する前に、第２のターゲットリソースが一時停止される状態であれば、ＵＥが第２のシグナリングを受信した後に採用する第３の処理方式は、第２のターゲットリソースを回復することである。具体的には、ＵＥが第２のシグナリングを受信した後に採用する第３の処理方式は、ＵＥが第２のシグナリングを受信する前の第２のターゲットリソースの具体的な状態に応じて決定することができ、本開示の実施例は限定しない。
【０１３７】
好ましくは、本開示の実施例では、上記第２のターゲットリソースは、ターゲットダウンリンク基準信号リソースと、ターゲットアップリンク基準信号リソースと、ＵＥが基地局にＣＳＩ報告を送信するアップリンクチャネルとのうちの少なくとも１項を含んでよく、ターゲットダウンリンク基準信号リソースは、第１のダウンリンク基準信号リソースを含む。
【０１３８】
本開示の実施例では、ＵＥが第１の処理方式で第１のＣＳＩ処理ユニットを処理し、かつ第２の処理方式で第１のセル上のリソースを処理することができるため、ＵＥ測定プロセスにおけるリソース（第１のＣＳＩ処理ユニットと第１のターゲットリソース）の浪費を減少させることにより、ＵＥ測定プロセスにおけるリソースの使用率を向上させることができ、そして、ＵＥが基地局によって送信された第２のシグナリング（第２のセルのアクティブ化を指示する）を受信した後、第３の処理方式で第２のターゲットリソース（例えば、第２のセル上のリソース）を処理することができるため、第２のセル上のリソースの正常使用を保証することにより、ＵＥ測定プロセスの正常実行を保証することができる。
【０１３９】
好ましくは、本開示の実施例では、上記第１のシグナリングは、ＵＥにソースＢＷＰからターゲットＢＷＰに切り替えるように指示し、第１のターゲットリソースは、ソースＢＷＰ上のリソースである。図８と組み合わせて、図１０に示すように、上記ステップ４０１は、具体的に以下のステップ４０１ｂにより実現することができ、かつ上記ステップ４０１の後に、本開示の実施例に係るＣＳＩ処理ユニットの処理方法は、さらに、以下のステップ６０１〜ステップ６０３を含んでもよい。
【０１４０】
ステップ４０１ｂでは、ＵＥは、第２の処理方式でソースＢＷＰ上のリソースを処理する。
【０１４１】
本開示の実施例では、ＵＥ中のＭＡＣエンティティは、第２の処理方式でソースＢＷＰ上のリソースを処理することができる。
【０１４２】
なお、第２の処理方式とソースＢＷＰ上のリソースに関する説明は、上記実施例における説明を参照すればよく、ここでは説明を省略する。
【０１４３】
ステップ６０１では、ＵＥが切替を完了した後、基地局は、ＵＥに第２のシグナリングを送信する。
【０１４４】
本開示の実施例では、上記ステップ６０１における第２のシグナリングは、ターゲットＢＷＰ上のリソースのアクティブ化を指示することができる。
【０１４５】
本開示の実施例では、ＵＥが切替を完了することは、ＵＥがソースＢＷＰからターゲットＢＷＰに切り替え、かつ基地局がＵＥのソースＢＷＰからターゲットＢＷＰへの切替を知ったことであると理解されてもよい。
【０１４６】
好ましくは、本開示の実施例では、ターゲットＢＷＰ上のリソースは、ターゲットＢＷＰ上のターゲットダウンリンク基準信号リソースと、ターゲットＢＷＰ上のターゲットアップリンク基準信号リソースと、ターゲットＢＷＰ上の、ＵＥが基地局にＣＳＩ報告を送信するアップリンクチャネルとのうちの少なくとも１項を含んでもよい。
【０１４７】
ステップ６０２では、ＵＥは、基地局によって送信された第２のシグナリングを受信する。
【０１４８】
ステップ６０３では、ＵＥは、第３の処理方式で第２のターゲットリソースを処理する。
【０１４９】
本開示の実施例では、ＵＥ中のＭＡＣエンティティは、第３の処理方式でターゲットＢＷＰ上のリソースである第２のターゲットリソースを処理することができる。
【０１５０】
なお、第３の処理方式とターゲットＢＷＰ上のリソースに関する説明は、上記実施例における説明を参照すればよく、ここでは説明を省略する。
【０１５１】
本開示の実施例では、ＵＥが第１の処理方式で第１のＣＳＩ処理ユニットを処理し、かつ第２の処理方式で第１のセル上のリソースを処理することができるため、ＵＥ測定プロセスにおけるリソース（第１のＣＳＩ処理ユニットと第１のターゲットリソース）の浪費を減少させることにより、ＵＥ測定プロセスにおけるリソースの使用率を向上させることができ、そして、ＵＥが切替を完了し、かつ基地局によって送信された第２のシグナリング（ターゲットＢＷＰ上のリソースのアクティブ化を指示する）を受信した後、第３の処理方式で第２のターゲットリソース（例えば、ターゲットＢＷＰ上のリソース）を処理することができるため、ターゲットＢＷＰ上のリソースの正常使用を保証することにより、ＵＥ測定プロセスの正常実行を保証することができる。
【０１５２】
好ましくは、本開示の実施例では、上記第１のシグナリングは、ＵＥにソースＢＷＰからターゲットＢＷＰに切り替えるように指示し、第１のターゲットリソースはソースＢＷＰ上のリソースである。図８と組み合わせて、図１１に示すように、上記ステップ４０１は、具体的に以下のステップ４０１ｃにより実現することができ、かつ上記ステップ４０１の後に、本開示の実施例に係るＣＳＩ処理ユニットの処理方法は、さらに、以下のステップ７０１を含んでもよい。
【０１５３】
ステップ４０１ｃでは、ＵＥは、第２の処理方式でソースＢＷＰ上のリソースを処理する。
【０１５４】
本開示の実施例では、ＵＥ中のＭＡＣエンティティは、第２の処理方式でソースＢＷＰ上のリソースを処理することができる。
【０１５５】
なお、第２の処理方式とソースＢＷＰ上のリソースに関する説明は、上記実施例における説明を参照すればよく、ここでは説明を省略する。
【０１５６】
ステップ７０１では、ＵＥが切替を完了した後に、ＵＥは、第３の処理方式で第２のターゲットリソースを処理する。
【０１５７】
本開示の実施例では、ＵＥ中のＭＡＣエンティティは、第３の処理方式でターゲットＢＷＰ上のリソースである第２のターゲットリソースを処理することができる。
【０１５８】
本開示の実施例では、ＵＥが第１の処理方式で第１のＣＳＩ処理ユニットを処理し、かつ第２の処理方式で第１のセル上のリソースを処理することができるため、ＵＥ測定プロセスにおけるリソース（第１のＣＳＩ処理ユニットと第１のターゲットリソース）の浪費を減少させることにより、ＵＥ測定プロセスにおけるリソースの使用率を向上させることができ、そして、ＵＥが切替を完了した後、第３の処理方式で第２のターゲットリソース（例えば、ターゲットＢＷＰ上のリソース）を処理することができるため、ターゲットＢＷＰ上のリソースの正常使用を保証することにより、ＵＥ測定プロセスの正常実行を保証することができる。
【０１５９】
実施例２
図１に示す通信システムに基づいて、本開示の実施例に係るリソースの処理方法は、図１２に示すように、以下のステップ８０１〜８０３を含んでもよい。
【０１６０】
ステップ８０１では、基地局は、ＵＥに第１のシグナリングを送信する。
【０１６１】
本開示の実施例では、上記第１のシグナリングは、ＵＥにサービスを提供する第１のセルの非アクティブ化を指示するか又はＵＥにソースＢＷＰからターゲットＢＷＰに切り替えるように指示することができる。
【０１６２】
ステップ８０２では、ＵＥは、基地局によって送信された第１のシグナリングを受信する。
【０１６３】
ステップ８０３では、ＵＥは、第１のターゲット処理方式で第１のターゲットリソースを処理する。
【０１６４】
本開示の実施例では、ＵＥ中のＭＡＣエンティティは、第１のターゲット処理方式で第１のターゲットリソースを処理することができ、該第１のターゲットリソースが第１のセル又はソースＢＷＰ上のリソースである。
【０１６５】
本開示の実施例に係るリソースの処理方法では、ＵＥは、基地局によって送信された第１のシグナリングを受信した後、第１のターゲット処理方式で第１のターゲットリソースを処理することができる。ＵＥは、測定プロセスにおいて異なる第１のターゲット処理方式で第１のターゲットリソースを処理できるため、実際の要求に応じてリソースの使用状況を制御することができる。このように、ＵＥ測定プロセスにおけるリソースの浪費を減少させることにより、ＵＥ測定プロセスにおけるリソースの使用率を向上させることができる。
【０１６６】
好ましくは、本開示の実施例では、上記第１のシグナリングは、第１のセルの非アクティブ化を指示することができ、第１のターゲットリソースは第１のセル上のリソースである。上記ステップ８０１は、具体的に以下のステップ８０１ａにより実現することができ、かつ上記ステップ８０１の後に、本開示の実施例に係るＣＳＩ処理ユニットの処理方法は、さらに、以下のステップ９０１〜ステップ９０３を含んでもよい。
【０１６７】
ステップ８０１ａでは、ＵＥは、第１のターゲット処理方式で第１のセル上のリソースを処理する。
【０１６８】
本開示の実施例では、ＵＥ中のＭＡＣエンティティは、第１のターゲット処理方式で第１のセル上のリソースを処理することができる。
【０１６９】
ステップ９０１では、基地局は、ＵＥに第２のシグナリングを送信する。
【０１７０】
本開示の実施例では、上記第２のシグナリングは、ＵＥにサービスを提供し第１のセルと同じであるか又は異なる第２のセルのアクティブ化を指示することができる。
【０１７１】
ステップ９０２では、ＵＥは、基地局によって送信された第２のシグナリングを受信する。
【０１７２】
ステップ９０３では、ＵＥは、第２のターゲット処理方式で第２のターゲットリソースを処理する。
【０１７３】
本開示の実施例では、ＵＥ中のＭＡＣエンティティは、第２のターゲット処理方式で第２のセル上のリソースである第２のターゲットリソースを処理することができる。
【０１７４】
本開示の実施例では、ＵＥが測定プロセスにおいて、第２のシグナリング（第２のセルのアクティブ化を指示する）を受信した後、第２のターゲット処理方式で第２のターゲットリソース（例えば、第２のセル上のリソース）を処理することができるため、第２のセル上のリソースの正常使用を保証することにより、ＵＥ測定プロセスの正常実行を保証することができる。
【０１７５】
好ましくは、本開示の実施例では、上記第１のシグナリングは、ＵＥにソースＢＷＰからターゲットＢＷＰに切り替えるように指示し、第１のターゲットリソースはソースＢＷＰ上のリソースである。上記ステップ８０１は、具体的に以下のステップ８０１ｂにより実現することができ、かつ上記ステップ８０１の後に、本開示の実施例に係るリソースの処理方法は、さらに、以下のステップ１００１〜ステップ１００３を含んでもよい。
【０１７６】
ステップ８０１ｂでは、ＵＥは、第１のターゲット処理方式でソースＢＷＰ上のリソースを処理する。
【０１７７】
本開示の実施例では、ＵＥ中のＭＡＣエンティティは、第１のターゲット処理方式でソースＢＷＰ上のリソースを処理することができる。
【０１７８】
ステップ１００１では、ＵＥが切替を完了した後、基地局は、ＵＥに第２のシグナリングを送信する。
【０１７９】
本開示の実施例では、上記第２のシグナリングは、ターゲットＢＷＰ上のリソースのアクティブ化を指示することができる。
【０１８０】
ステップ１００２では、ＵＥは、基地局によって送信された第２のシグナリングを受信する。
【０１８１】
ステップ１００３では、ＵＥは、第２のターゲット処理方式で第２のターゲットリソースを処理する。
【０１８２】
本開示の実施例では、ＵＥ中のＭＡＣエンティティは、第２のターゲット処理方式でターゲットＢＷＰ上のリソースである第２のターゲットリソースを処理することができる。
【０１８３】
本開示の実施例では、ＵＥが測定プロセスにおいて、第２のシグナリング（ターゲットＢＷＰ上のリソースのアクティブ化を指示する）を受信した後、第２のターゲット処理方式で第２のターゲットリソース（例えば、ターゲットＢＷＰ上のリソース）を処理することができるため、ターゲットＢＷＰ上のリソースの正常使用を保証することにより、ＵＥ測定プロセスの正常実行を保証することができる。
【０１８４】
好ましくは、本開示の実施例では、上記第１のシグナリングは、ＵＥにソースＢＷＰからターゲットＢＷＰに切り替えるように指示し、第１のターゲットリソースはソースＢＷＰ上のリソースである。上記ステップ８０１は、具体的に以下のステップ８０１ｃにより実現することができ、かつ上記ステップ８０１の後に、本開示の実施例に係るリソースの処理方法は、さらに、以下のステップ１１０１を含んでもよい。
【０１８５】
ステップ８０１ｃでは、ＵＥは、第１のターゲット処理方式でソースＢＷＰ上のリソースを処理する。
【０１８６】
本開示の実施例では、ＵＥ中のＭＡＣエンティティは、第１のターゲット処理方式でソースＢＷＰ上のリソースを処理することができる。
【０１８７】
ステップ１１０１では、ＵＥが切替を完了した後に、ＵＥは、第２のターゲット処理方式で第２のターゲットリソースを処理する。
【０１８８】
本開示の実施例では、ＵＥが切替を完了した後、ＵＥ中のＭＡＣエンティティは、第２のターゲット処理方式でターゲットＢＷＰ上のリソースである第２のターゲットリソースを処理することができる。
【０１８９】
本開示の実施例では、ＵＥが測定プロセスにおいて、第２のターゲット処理方式で第２のターゲットリソース（例えば、ターゲットＢＷＰ上のリソース）を処理することができるため、ターゲットＢＷＰ上のリソースの正常使用を保証することにより、ＵＥ測定プロセスの正常実行を保証することができる。
【０１９０】
好ましくは、本開示の実施例では、上記第１のターゲット処理方式は、リソースの解放、リソースの設定情報の解放又はリソースの一時停止である。第２のターゲット処理方式は、基地局によって送信されたアクティブ化コマンドに基づいてリソースをアクティブ化するか、又は基地局によって送信された設定情報に基づいてリソースをアクティブ化するか又は回復することである。
【０１９１】
本開示の実施例では、ＵＥが切替を完了する前に、ターゲットＢＷＰ上のリソースが解放される状態であれば、ＵＥが切替を完了した後に採用する第３の処理方式は、ターゲットＢＷＰ上のリソースをアクティブ化することであり、ＵＥが切替を完了する前に、ターゲットＢＷＰ上のリソースが解放されるか又は設定情報が削除された状態であれば、ＵＥが切替を完了した後に採用する第３の処理方式は、基地局によって送信された設定情報に基づいてターゲットＢＷＰ上のリソースをアクティブ化することであり、ＵＥが切替を完了する前に、ターゲットＢＷＰ上のリソースが一時停止される状態であれば、ＵＥが切替を完了した後に採用する第３の処理方式は、ターゲットＢＷＰ上のリソースを回復することである。具体的には、ＵＥが切替を完了した後に採用する第３の処理方式は、ＵＥが切替を完了する前のターゲットＢＷＰ上のリソースの具体的な状態に応じて決定することができ、本開示の実施例は限定しない。
【０１９２】
第１のターゲット処理方式と第２のターゲット処理方式に対する他の説明は、具体的に上記実施例における第２の処理方式と第３の処理方式に関する説明を参照すればよく、ここでは説明を省略する。
【０１９３】
好ましくは、本開示の実施例では、上記第１のターゲットリソース／第２のターゲットリソースは、ターゲットダウンリンク基準信号リソースと、ターゲットアップリンク基準信号リソースと、ＵＥが基地局にＣＳＩ報告を送信するアップリンクチャネルとのうちの少なくとも１項を含んでもよい。
【０１９４】
なお、実施例２における各ステップの具体的な説明は、上記実施例における関連説明を対応して参照すればよく、ここでは説明を省略する。
【０１９５】
図１３に示すように、本開示の実施例に係るＵＥ１３００は、受信モジュルール１３０１と処理モジュール１３０２とを含んでもよい。
【０１９６】
受信モジュルール１３０１は、基地局によって送信された第１のシグナリングを受信し、該第１のシグナリングは、ＵＥにサービスを提供する第１のセルの非アクティブ化を指示するか又はＵＥにソースＢＷＰからターゲットＢＷＰに切り替えるように指示する。処理モジュール１３０２は、受信モジュール１３０１が第１のシグナリングを受信した後、ターゲット情報が予め設定された条件を満たすと、ターゲット情報に対応する第１の処理方式で第１のＣＳＩ処理ユニットを処理し、該ターゲット情報は少なくとも第１のシグナリングを含み、該第１のＣＳＩ処理ユニットが第１のダウンリンク基準信号リソースに測定を行うＣＳＩ処理ユニットであり、該第１のダウンリンク基準信号リソースが第１のセル又はソースＢＷＰ上のダウンリンク基準信号リソースである。
【０１９７】
好ましくは、本開示の実施例では、図１３と組み合わせて、図１４に示すように、本開示の実施例に係るＵＥ１３００は、さらに、決定モジュール１３０３を含んでもよい。決定モジュール１３０３は、受信モジュール１３０１が基地局によって送信された第１のシグナリングを受信した後、第１のシグナリングと指示情報に基づいて、ターゲット情報を決定し、該指示情報は、基地局がＵＥに対して指示する第１の情報、又は基地局がＵＥに対して指示する第１の情報と第２の情報であり、該第１の情報は、ＵＥが基地局に送信するＣＳＩ報告のタイプを指示し、第２の情報は、ＵＥが基地局にＣＳＩ報告を送信するアップリンクチャネルを指示し、ＣＳＩ報告には第１のＣＳＩ処理ユニットによる第１のダウンリンク基準信号リソースの測定の結果が含まれる。
【０１９８】
好ましくは、本開示の実施例では、ターゲット情報に第１のシグナリングが含まれれば、ターゲット情報が予め設定された条件を満たすことは、第１のシグナリングが第１のタイプのシグナリングであることであり、ターゲット情報に第１のシグナリング及びＣＳＩ報告が含まれれば、ターゲット情報が予め設定された条件を満たすことは、第１のシグナリングが第２のタイプのシグナリングであり、かつＣＳＩ報告が第１のタイプのＣＳＩ報告であることであり、ターゲット情報に第１のシグナリング、ＣＳＩ報告及びアップリンクチャネルが含まれれば、ターゲット情報が予め設定された条件を満たすことは、第１のシグナリングが第２のタイプのシグナリングであり、かつＣＳＩ報告が第２のタイプのＣＳＩ報告であり、かつアップリンクチャネルがターゲットアップリンクチャネルであることである。
【０１９９】
好ましくは、本開示の実施例では、第１のタイプのシグナリングがセル非アクティブ化シグナリングであれば、第１の処理方式は、ＣＳＩ処理ユニットを解放することである。処理モジュール１３０２は、具体的には、第１のセル上のダウンリンク基準信号リソースに測定を行うＣＳＩ処理ユニットである第１のＣＳＩ処理ユニットを解放することができる。
【０２００】
好ましくは、本開示の実施例では、第２のタイプのシグナリングがＢＷＰ切替シグナリングであり、かつ第１のタイプのＣＳＩ報告が周期的ＣＳＩ報告又は非周期的ＣＳＩ報告であれば、第１の処理方式は、ＣＳＩ処理ユニットを占有することである。処理モジュール１３０２は、具体的には、ソースＢＷＰ上のダウンリンク基準信号リソースに測定を行うＣＳＩ処理ユニットである第１のＣＳＩ処理ユニットを占有することができる。
【０２０１】
好ましくは、本開示の実施例では、第２のタイプのシグナリングがＢＷＰ切替シグナリングであり、第２のタイプのＣＳＩ報告が半永続的ＣＳＩ報告であり、かつターゲットアップリンクチャネルがアップリンク制御チャネルであれば、第１の処理方式は、ＣＳＩ処理ユニットを占有又は解放することである。処理モジュール１３０２は、具体的には、ソースＢＷＰ上のダウンリンク基準信号リソースに測定を行うＣＳＩ処理ユニットである第１のＣＳＩ処理ユニットを占有又は解放することができる。
【０２０２】
好ましくは、本開示の実施例では、第２のタイプのシグナリングがＢＷＰ切替シグナリングであり、第２のタイプのＣＳＩ報告が半永続的ＣＳＩ報告であり、かつターゲットアップリンクチャネルがアップリンクデータチャネルであれば、第１の処理方式は、ＣＳＩ処理ユニットを占有又は解放することである。処理モジュール１３０２は、具体的には、ソースＢＷＰ上のダウンリンク基準信号リソースに測定を行うＣＳＩ処理ユニットである第１のＣＳＩ処理ユニットを占有又は解放することができる。
【０２０３】
好ましくは、本開示の実施例に係るＵＥ１３００は、さらに、ＭＡＣエンティティを含んでもよい。該ＭＡＣエンティティは、処理モジュール１３０２であってもよい。ＭＡＣエンティティは、受信モジュール１３０１が基地局によって送信された第１のシグナリングを受信した後、第２の処理方式で第１のターゲットリソースを処理することができ、該第１のターゲットリソースが第１のセル又はソースＢＷＰ上のリソースである。
【０２０４】
好ましくは、本開示の実施例では、上記第１のシグナリングは、第１のセルの非アクティブ化を指示し、第１のターゲットリソースは第１のセル上のリソースである。ＭＡＣエンティティは、具体的に第２の処理方式で第１のセル上のリソースを処理することができる。受信モジュール１３０１は、さらに、基地局によって送信された第２のシグナリングを受信することができ、該第２のシグナリングは、ＵＥにサービスを提供し第１のセルと同じであるか又は異なる第２のセルのアクティブ化を指示する。ＭＡＣエンティティは、第３の処理方式で第２のセル上のリソースである第２のターゲットリソースを処理することができる。
【０２０５】
好ましくは、本開示の実施例では、上記第１のシグナリングは、ＵＥにソースＢＷＰからターゲットＢＷＰに切り替えるように指示し、第１のターゲットリソースはソースＢＷＰ上のリソースである。ＭＡＣエンティティは、具体的に第２の処理方式でソースＢＷＰ上のリソースを処理することができる。受信モジュール１３０１は、さらに、ＵＥが切替を完了した後、基地局によって送信された第２のシグナリングを受信することができ、該第２のシグナリングは、ターゲットＢＷＰ上のリソースのアクティブ化を指示する。ＭＡＣエンティティは、第３の処理方式でターゲットＢＷＰ上のリソースである第２のターゲットリソースを処理することができる。
【０２０６】
好ましくは、本開示の実施例では、上記第１のシグナリングは、ＵＥにソースＢＷＰからターゲットＢＷＰに切り替えるように指示し、第１のターゲットリソースはソースＢＷＰ上のリソースである。ＭＡＣエンティティは、具体的に第２の処理方式でソースＢＷＰ上のリソースを処理することができる。ＭＡＣエンティティは、ＵＥが切替を完了した後、第３の処理方式でターゲットＢＷＰ上のリソースである第２のターゲットリソースを処理することができる。
【０２０７】
好ましくは、本開示の実施例では、上記第２の処理方式は、リソースの解放、リソースの設定情報の解放又はリソースの一時停止であり、第３の処理方式は、基地局によって送信されたアクティブ化コマンドに基づいてリソースをアクティブ化するか、又は基地局によって送信された設定情報に基づいてリソースをアクティブ化するか又は回復することである。
【０２０８】
好ましくは、本開示の実施例では、上記第１のターゲットリソース／第２のターゲットリソースは、ターゲットダウンリンク基準信号リソースと、ターゲットアップリンク基準信号リソースと、ＵＥが基地局にＣＳＩ報告を送信するアップリンクチャネルとのうちの少なくとも１項を含んでよく、ターゲットダウンリンク基準信号リソースは、第１のダウンリンク基準信号リソースを含む。
【０２０９】
本開示の実施例に係るＵＥは、上記方法の実施例におけるＵＥによって実現される各プロセスを実現することができ、重複を避けるために、ここでは説明を省略する。
【０２１０】
本開示の実施例に係るＵＥは、基地局によって送信された第１のシグナリングを受信した後、ターゲット情報（ターゲット情報が少なくとも第１のシグナリングを含む）が予め設定された条件を満たすと、該ターゲット情報に対応する第１の処理方式で第１のＣＳＩ処理ユニットを処理することができる。ＵＥは、測定プロセスにおいて異なるターゲット情報に基づいて異なる第１の処理方式を決定できるため、異なるターゲット情報に対して、異なる第１の処理方式で第１のＣＳＩ処理ユニットを処理することができ、即ち、ＵＥは、実際の要求に応じて第１のＣＳＩ処理ユニットの使用状況を制御することができる。このように、ＵＥ測定プロセスにおけるＣＳＩ処理ユニットの浪費を減少させることにより、ＵＥ測定プロセスにおけるＣＳＩ処理ユニットの使用率を向上させることができる。
【０２１１】
図１５に示すように、本開示の実施例に係るＵＥ１５００は、受信モジュルール１５０１とＭＡＣエンティティ１５０２とを含んでもよい。
【０２１２】
受信モジュルール１５０１は、基地局によって送信された第１のシグナリングを受信し、該第１のシグナリングは、ＵＥにサービスを提供する第１のセルの非アクティブ化を指示するか又はＵＥにソースＢＷＰからターゲットＢＷＰに切り替えるように指示する。ＭＡＣエンティティ１５０２は、受信モジュール１５０１が第１のシグナリングを受信した後、第１のターゲット処理方式で第１のターゲットリソースを処理し、該第１のターゲットリソースが第１のセル又はソースＢＷＰ上のリソースである。
【０２１３】
好ましくは、本開示の実施例では、上記第１のシグナリングは、第１のセルの非アクティブ化を指示し、第１のターゲットリソースは、第１のセル上のリソースである。ＭＡＣエンティティ１５０２は、具体的に第１のターゲット処理方式で第１のセル上のリソースを処理することができる。受信モジュール１５０１は、さらに、基地局によって送信された第２のシグナリングを受信することができ、該第２のシグナリングは、ＵＥにサービスを提供し第１のセルと同じであるか又は異なる第２のセルのアクティブ化を指示する。ＭＡＣエンティティ１５０２は、さらに、第２のターゲット処理方式で第２のセル上のリソースである第２のターゲットリソースを処理することができる。
【０２１４】
好ましくは、本開示の実施例では、上記第１のシグナリングは、ＵＥにソースＢＷＰからターゲットＢＷＰに切り替えるように指示し、第１のターゲットリソースはソースＢＷＰ上のリソースである。ＭＡＣエンティティ１５０２は、具体的に第１のターゲット処理方式でソースＢＷＰ上のリソースを処理することができる。受信モジュール１５０１は、さらに、ＵＥが切替を完了した後、基地局によって送信された第２のシグナリングを受信することができ、該第２のシグナリングは、ターゲットＢＷＰ上のリソースのアクティブ化を指示する。ＭＡＣエンティティ１５０２は、さらに、第２のターゲット処理方式でターゲットＢＷＰ上のリソースである第２のターゲットリソースを処理することができる。
【０２１５】
好ましくは、本開示の実施例では、上記第１のシグナリングは、ＵＥにソースＢＷＰからターゲットＢＷＰに切り替えるように指示し、第１のターゲットリソースはソースＢＷＰ上のリソースである。ＭＡＣエンティティ１５０２は、具体的に第１のターゲット処理方式でソースＢＷＰ上のリソースを処理することができる。ＭＡＣエンティティ１５０２は、さらに、ＵＥが切替を完了した後、第２のターゲット処理方式でターゲットＢＷＰ上のリソースである第２のターゲットリソースを処理することができる。
【０２１６】
好ましくは、本開示の実施例では、上記第１のターゲット処理方式は、リソースの解放、リソースの設定情報の解放又はリソースの一時停止であり、第２のターゲット処理方式は、基地局によって送信されたアクティブ化コマンドに基づいてリソースをアクティブ化するか、又は基地局によって送信された設定情報に基づいてリソースをアクティブ化するか又は回復することである。
【０２１７】
好ましくは、本開示の実施例では、上記第１のターゲットリソース／第２のターゲットリソースは、ターゲットダウンリンク基準信号リソースと、ターゲットアップリンク基準信号リソースと、ＵＥが上記基地局にＣＳＩ報告を送信するアップリンクチャネルとのうちの少なくとも１項を含んでもよい。
【０２１８】
本開示の実施例に係るＵＥは、上記方法の実施例におけるＵＥによって実現される各プロセスを実現することができ、重複を避けるために、ここでは説明を省略する。
【０２１９】
本開示の実施例に係るＵＥは、基地局によって送信された第１のシグナリングを受信した後、第１のターゲット処理方式で第１のターゲットリソースを処理することができる。ＵＥは、測定プロセスにおいて異なる第１のターゲット処理方式で第１のターゲットリソースを処理できるため、実際の要求に応じてリソースの使用状況を制御することができる。このように、ＵＥ測定プロセスにおけるリソースの浪費を減少させることにより、ＵＥ測定プロセスにおけるリソースの使用率を向上させることができる。
【０２２０】
図１６は、本開示の実施例に係るＵＥのハードウェア概略図を示す。図１６に示すように、該ＵＥ１１０は、無線周波数ユニット１１１、ネットワークモジュール１１２、オーディオ出力ユニット１１３、入力ユニット１１４、センサ１１５、表示ユニット１１６、ユーザ入力ユニット１１７、インタフェースユニット１１８、メモリ１１９、プロセッサ１２０及び電源１２１などの部品を含むが、これらに限定されない。
【０２２１】
なお、当業者が理解できるように、図１６に示すＵＥの構造は、ＵＥを限定するものではなく、ＵＥは、図１６の図示より多いか又は少ない部品を含んでよく、ある部品と組み合わせたり、異なる部品を配置したりしてもよい。例示的に、本開示の実施例では、ＵＥは、携帯電話、タブレットコンピュータ、ノートパソコン、パームトップコンピュータ、車載端末、ウェアラブルデバイス及び歩数計などを含むが、これらに限定されない。
【０２２２】
プロセッサ１２０は、ＵＥにサービスを提供する第１のセルの非アクティブ化を指示するか又はＵＥにソースＢＷＰからターゲットＢＷＰに切り替えるように指示する、基地局によって送信された第１のシグナリングを受信し、ターゲット情報が予め設定された条件を満たすと、ターゲット情報に対応する第１の処理方式で第１のＣＳＩ処理ユニットを処理することができ、該ターゲット情報は、少なくとも第１のシグナリングを含み、該第１のＣＳＩ処理ユニットが第１のダウンリンク基準信号リソースに測定を行うＣＳＩ処理ユニットであり、該第１のダウンリンク基準信号リソースが第１のセル又はソースＢＷＰ上のダウンリンク基準信号リソースである。
【０２２３】
本開示の実施例に係るＵＥは、基地局によって送信された第１のシグナリングを受信した後、ターゲット情報（ターゲット情報が少なくとも第１のシグナリングを含む）が予め設定された条件を満たすと、該ターゲット情報に対応する第１の処理方式で第１のＣＳＩ処理ユニットを処理することができる。ＵＥは、測定プロセスにおいて異なるターゲット情報に基づいて異なる第１の処理方式を決定できるため、異なるターゲット情報に対して、異なる第１の処理方式で第１のＣＳＩ処理ユニットを処理することができ、即ち、ＵＥは、実際の要求に応じて第１のＣＳＩ処理ユニットの使用状況を制御することができる。このように、ＵＥ測定プロセスにおけるＣＳＩ処理ユニットの浪費を減少させることにより、ＵＥ測定プロセスにおけるＣＳＩ処理ユニットの使用率を向上させることができる。
【０２２４】
プロセッサ１２０は、さらに、ＵＥにサービスを提供する第１のセルの非アクティブ化を指示化するか又はＵＥにソースＢＷＰからターゲットＢＷＰに切り替えるように指示する、基地局によって送信された第１のシグナリングを受信し、第１のターゲット処理方式で第１のターゲットリソースを処理することができ、該第１のターゲットリソースが該第１のセル又は該ソースＢＷＰ上のリソースである。
【０２２５】
本開示の実施例に係るＵＥは、基地局によって送信された第１のシグナリングを受信した後、第１のターゲット処理方式で第１のターゲットリソースを処理することができる。ＵＥは、測定プロセスにおいて異なる第１のターゲット処理方式で第１のターゲットリソースを処理できるため、実際の要求に応じてリソースの使用状況を制御することができる。このように、ＵＥ測定プロセスにおけるリソースの浪費を減少させることにより、ＵＥ測定プロセスにおけるリソースの使用率を向上させることができる。
【０２２６】
本開示の実施例において、無線周波数ユニット１１１は、情報の送受信中又は通話中の信号の送受信に用いられてよく、具体的には、基地局からのダウンリンクデータを受信した後、プロセッサ１２０に処理させ、また、アップリンクデータを基地局に送信することを理解されたい。一般的に、無線周波数ユニット１１１は、アンテナ、少なくとも１つの増幅器、送受信機、カプラ、低雑音増幅器、デュプレクサなどを含むが、これらに限定されない。また、無線周波数ユニット１１１は、さらに無線通信システムによりネットワーク及び他の装置と通信することができる。
【０２２７】
ＵＥは、ネットワークモジュール１１２によりユーザに無線のブロードバンドインターネットアクセスを提供して、ユーザの電子メールの送受信、ウェブの閲覧及びストリーミングメディアのアクセスなどを助ける。
【０２２８】
オーディオ出力ユニット１１３は、無線周波数ユニット１１１又はネットワークモジュール１１２によって受信されるか又はメモリ１１９に記憶されるオーディオデータをオーディオ信号に変換して音声として出力することができる。そして、オーディオ出力ユニット１１３は、ＵＥ１１０によって実行される特定の機能に関連するオーディオ出力（例えば、呼出音、メッセージ着信音など）をさらに提供することができる。オーディオ出力ユニット１１３は、スピーカー、ブザー及びレシーバーなどを含む。
【０２２９】
入力ユニット１１４は、オーディオ又はビデオ信号を受信する。入力ユニット１１４は、グラフィック処理ユニット（Ｇｒａｐｈｉｃｓ  Ｐｒｏｃｅｓｓｉｎｇ  Ｕｎｉｔ、ＧＰＵ）１１４１及びマイクロフォン１１４２を含んでよく、グラフィック処理ユニット１１４１は、動画撮影モード又は撮影モードで撮影装置（例えば、カメラ）によって取得された静止画像又はビデオの画像データを処理する。処理後の画像フレームは、表示ユニット１１６に表示することができる。グラフィックプロセッサ１１４１によって処理された画像フレームは、メモリ１１９（又は他の記憶媒体）に記憶されてもよく、無線周波数ユニット１１１又はネットワークモジュール１１２によって送信されてもよい。マイク１１４２は、音声を受信して、かつこのような音声をオーディオデータに処理することができる。処理後のオーディオデータは、電話通話モードで無線周波数ユニット１１１によって移動通信基地局に送信可能なフォーマットに変換されて出力することができる。
【０２３０】
ＵＥ１１０は、光センサ、動きセンサ及び他のセンサなどの少なくとも１種のセンサ１１５をさらに含んでもよい。具体的には、光センサは、環境光線の明るさに応じて表示パネル１１６１の輝度を調節することができる環境光センサと、ＵＥ１１０が耳元に移動するときに、表示パネル１１６１及び／又はバックライトをオフにすることができる近接センサとを含む。動きセンサの１種として、加速センサは、各方向（一般に３軸）の加速度の大きさを検出でき、静止時に重力の大きさ及び方向を検出でき、ＵＥ姿勢の識別（例えば、縦向き／横向きの切替、ゲーム関連、磁力計の姿勢較正）、振動識別に関連する機能（例えば、歩数計、タッピング）等に用いられてよく、センサ１１５は、指紋センサ、圧力センサ、虹彩センサ、分子センサ、ジャイロスコープ、気圧計、湿度計、温度計、赤外線センサなどをさらに含んでよく、ここでは説明を省略する。
【０２３１】
表示ユニット１１６は、ユーザによって入力された情報又はユーザに提供された情報を表示する。表示ユニット１１６は、表示パネル１１６１を含んでよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形態で表示パネル１１６１を配置することができる。
【０２３２】
ユーザ入力ユニット１１７は、入力された数字又は文字情報を受信すると共に、ＵＥのユーザ設定及び機能制御に関連するキー信号入力を生成することができる。具体的には、ユーザ入力ユニット１１７は、タッチパネル１１７１及び他の入力装置１１７２を含む。タッチパネル１１７１は、タッチスクリーンとも呼ばれ、その上又はその近くでのユーザのタッチ操作（例えば、指、スタイラスペンなどの任意の適切な物体又は付属品を用いるタッチパネル１１７１上又はタッチパネル１１７１の近くでのユーザの操作）を収集することができる。タッチパネル１１７１は、タッチ検出装置及びタッチコントローラの２つの部品を含んでもよい。タッチ検出装置は、ユーザのタッチ方向を検出し、タッチ操作による信号を検出し、信号をタッチコントローラに伝送し、タッチコントローラは、タッチ検出装置からタッチ情報を受信し、タッチポイント座標に変換して、プロセッサ１２０に送信し、プロセッサ１２０から送信されたコマンドを受信し、実行する。また、抵抗式、容量式、赤外線式及び表面弾性波式などの複数のタイプでタッチパネル１１７１を実現することができる。タッチパネル１１７１に加えて、ユーザ入力ユニット１１７は、他の入力装置１１７２をさらに含んでもよい。具体的には、他の入力装置１１７２は、物理キーボード、機能キー（例えば、ボリューム調節キー、スイッチキーなど）、トラックボール、マウス及び操作レバーを含み得るが、これらに限定されず、ここでは説明を省略する。
【０２３３】
さらに、タッチパネル１１７１は、表示パネル１１６１をカバーすることができ、タッチパネル１１７１がその上又はその近くでのタッチ操作を検出した後、プロセッサ１２０に伝送してタッチイベントのタイプを決定し、その後に、プロセッサ１２０は、タッチイベントのタイプに応じて対応する視覚的出力を表示パネル１１６１に提供する。図１６において、タッチパネル１１７１と表示パネル１１６１は、２つの独立した部品としてＵＥの入出力機能を実現するが、いくつかの実施例では、タッチパネル１１７１と表示パネル１１６１を一体化してＵＥの入出力機能を実現することができ、ここでは具体的に限定しない。
【０２３４】
インタフェースユニット１１８は、外部装置とＵＥ１１０を接続するインタフェースである。例えば、外部装置は、有線又は無線ヘッドフォンポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、ヘッドフォンポートなどを含んでもよい。インタフェースユニット１１８は、外部装置からの入力（例えば、データ情報、電力など）を受信すると共に、受信した入力をＵＥ１１０内の１つ以上の素子に伝送するか又はＵＥ１１０と外部装置との間にデータを伝送する。
【０２３５】
メモリ１１９は、ソフトウェアプログラム及び様々なデータを記憶することができる。メモリ１１９は、主に、オペレーティングシステム、少なくとも１つの機能（例えば、音声再生機能、画像再生機能など）に必要なアプリケーションプログラムなどを記憶することができるプログラム記憶領域と、携帯電話の使用に応じて作成されたデータ（例えば、オーディオデータ、電話帳など）などを記憶することができるデータ記憶領域とを含んでもよい。また、メモリ１１９は、高速ランダムアクセスメモリを含んでよもよく、少なくとも１つの磁気ディスクメモリ素子、フラッシュメモリ素子又は他の揮発性固体メモリ素子などの不揮発性メモリを含んでもよい。
【０２３６】
プロセッサ１２０は、ＵＥの制御センターであり、様々なインタフェースと回線によりＵＥ全体の各部分に接続され、メモリ１１９に記憶されているソフトウェアプログラム及び／又はモジュールを動作させるか又は実行し、メモリ１１９に記憶されたデータを呼び出すことにより、ＵＥの様々な機能とデータ処理を実行して、ＵＥ全体を監視する。プロセッサ１２０は、１つ以上の処理ユニットを含んでよく、好ましくは、プロセッサ１２０は、主にオペレーティングシステム、ユーザインタフェース及びアプリケーションプログラムなどを処理するアプリケーションプロセッサと、主に無線通信を処理するモデムプロセッサとを集積することができる。上記モデムプロセッサは、プロセッサ１２０に集積されなくてもよいことを理解されたい。
【０２３７】
ＵＥ１１０は、各部品に給電する電源１２１（例えば、電池）をさらに含んでよく、好ましくは、電源１２１は、電源管理システムによりプロセッサ１２０と論理的に接続されて、電源管理システムにより充電、放電の管理及び消費電力の管理などの機能を実現することができる。
【０２３８】
また、ＵＥ１１０は、いくつかの未図示の機能モジュールを含み、ここでは説明を省略する。
【０２３９】
好ましくは、本開示の実施例は、図１６に示すプロセッサ１２０と、メモリ１１９と、メモリ１１９上に記憶されて上記プロセッサ１２０上で実行可能で、プロセッサ１２０によって実行されると、上記方法の実施例の各プロセスを実現し、かつ同じ技術的効果を達成することができるコンピュータプログラムとを含む、ＵＥをさらに提供し、重複を避けるため、ここで説明を省略する。
【０２４０】
本開示の実施例は、図１６に示すプロセッサ１２０によって実行されると、上記方法の実施例の各プロセスを実現し、かつ同じ技術的効果を達成することができるコンピュータプログラムが記憶されているコンピュータ可読記憶媒体をさらに提供し、重複を避けるため、ここで説明を省略する。上記コンピュータ可読記憶媒体は、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、ディスク又は光ディスクなどであってもよい。
【０２４１】
なお、本明細書において、用語「含む」、「備える」及びそれらの任意の変形は、非排他的に含むことをカバーするものであることにより、一連の要素を含むプロセス、方法、物品又は装置は、それらの要素を含むだけでなく、明確に例示されていない他の要素をさらに含むか、又はこれらのプロセス、方法、物品又は装置固有の要素をさらに含む。より多くの限定がない場合に、語句「１つ…を含む」により限定された要素は、該要素を含むプロセス、方法、物品又は装置に別の同一の要素がさらに存在することを排除するものではない。
【０２４２】
以上の実施形態の説明により、当業者が明確に理解できるように、上記実施例の方法は、ソフトウェアと必要な汎用ハードウェアプラットフォームを併用した方法で実現でき、当然のことながら、ハードウェアでも実現できるが、多くの場合に前者がより好ましい実施形態である。このような理解に基づいて、本開示の技術手段は、本質的又は従来技術に寄与する部分が、ソフトウェア製品の形態で具現化されてよく、該コンピュータソフトウェア製品は、記憶媒体（例えば、ＲＯＭ／ＲＡＭ、磁気ディスク、光ディスク）に記憶されており、一台の端末（携帯電話、コンピュータ、サーバ、エアコン又はネットワーク機器などであってもよい）に本開示の各実施例に記載の方法を実行させるための複数の命令を含む。
【０２４３】
以上で図面を参照しながら本開示の実施例を説明したが、本開示は、上記具体的な実施形態に限定されるものではなく、上記具体的な実施形態は、制限的なものではなく、例示的なものに過ぎず、当業者であれば、本開示の示唆に基づき、本開示の趣旨及び特許請求の範囲の保護範囲から逸脱せずに多くの形式を行うことができ、これらは、いずれも本開示の保護範囲内に属する。
【図１】
2021521759.tif 000003
【図２】
2021521759.tif 000004
【図３】
2021521759.tif 000005
【図４】
2021521759.tif 000006
【図５】
2021521759.tif 000007
【図６】
2021521759.tif 000008
【図７】
2021521759.tif 000009
【図８】
2021521759.tif 000010
【図９】
2021521759.tif 000011
【図１０】
2021521759.tif 000012
【図１１】
2021521759.tif 000013
【図１２】
2021521759.tif 000014
【図１３】
2021521759.tif 000015
【図１４】
2021521759.tif 000016
【図１５】
2021521759.tif 000017
【図１６】
2021521759.tif 000018
【手続補正書】
【提出日】令和2年11月11日(2020.11.11)
【手続補正１】
【補正対象書類名】特許請求の範囲
【補正対象項目名】全文
【補正方法】変更
【補正の内容】
【特許請求の範囲】
【請求項１】
ユーザ装置ＵＥに用いられる、チャネル状態情報ＣＳＩ処理ユニットの処理方法であって、
前記ＵＥにサービスを提供する第１のセルの非アクティブ化を指示するか又は前記ＵＥにソース帯域幅部分ＢＷＰからターゲットＢＷＰに切り替えるように指示する第１のシグナリングを基地局から受信することと、
ターゲット情報が予め設定された条件を満たすと、前記ターゲット情報に対応する第１の処理方式で第１のＣＳＩ処理ユニットを処理することとを含み、
前記ターゲット情報は、少なくとも前記第１のシグナリングを含み、前記第１のＣＳＩ処理ユニットが第１のダウンリンク基準信号リソースに測定を行うＣＳＩ処理ユニットであり、前記第１のダウンリンク基準信号リソースが前記第１のセル又は前記ソースＢＷＰ上のダウンリンク基準信号リソースである、
チャネル状態情報ＣＳＩ処理ユニットの処理方法。
【請求項２】
第１のシグナリングを基地局から受信した後、さらに、
前記第１のシグナリングと指示情報に基づいて、前記ターゲット情報を決定することを含み、
前記指示情報は、前記基地局が前記ＵＥに対して指示する第１の情報、又は前記基地局が前記ＵＥに対して指示する前記第１の情報と第２の情報であり、前記第１の情報は、前記ＵＥが前記基地局に送信するＣＳＩ報告のタイプを指示し、前記第２の情報は、前記ＵＥが前記基地局に前記ＣＳＩ報告を送信するアップリンクチャネルを指示し、前記ＣＳＩ報告には前記第１のＣＳＩ処理ユニットによる前記第１のダウンリンク基準信号リソースの測定の結果が含まれる、
請求項１に記載のチャネル状態情報ＣＳＩ処理ユニットの処理方法。
【請求項３】
前記ターゲット情報に前記第１のシグナリングが含まれれば、前記ターゲット情報が前記予め設定された条件を満たすことは、前記第１のシグナリングが第１のタイプのシグナリングであることであり、
前記ターゲット情報に前記第１のシグナリングと前記ＣＳＩ報告が含まれれば、前記ターゲット情報が前記予め設定された条件を満たすことは、前記第１のシグナリングが第２のタイプのシグナリングであり、かつ前記ＣＳＩ報告が第１のタイプのＣＳＩ報告であることであり、
前記ターゲット情報に前記第１のシグナリング、前記ＣＳＩ報告及び前記アップリンクチャネルが含まれれば、前記ターゲット情報が前記予め設定された条件を満たすことは、前記第１のシグナリングが第２のタイプのシグナリングであり、前記ＣＳＩ報告が第２のタイプのＣＳＩ報告であり、かつ前記アップリンクチャネルがターゲットアップリンクチャネルであることである、
請求項２に記載のチャネル状態情報ＣＳＩ処理ユニットの処理方法。
【請求項４】
前記第１のタイプのシグナリングがセル非アクティブ化シグナリングであれば、前記第１の処理方式は、ＣＳＩ処理ユニットを解放することであり、
前記ターゲット情報に対応する処理方式で第１のＣＳＩ処理ユニットを処理することは、
前記第１のセル上のダウンリンク基準信号リソースに測定を行うＣＳＩ処理ユニットである前記第１のＣＳＩ処理ユニットを解放することを含む、
請求項３に記載のチャネル状態情報ＣＳＩ処理ユニットの処理方法。
【請求項５】
前記第２のタイプのシグナリングがＢＷＰ切替シグナリングであり、かつ前記第１のタイプのＣＳＩ報告が周期的ＣＳＩ報告又は非周期的ＣＳＩ報告であれば、前記第１の処理方式は、ＣＳＩ処理ユニットを占有することであり、
前記ターゲット情報に対応する処理方式で第１のＣＳＩ処理ユニットを処理することは、
前記ソースＢＷＰ上のダウンリンク基準信号リソースに測定を行うＣＳＩ処理ユニットである前記第１のＣＳＩ処理ユニットを占有することを含む、
請求項３に記載のチャネル状態情報ＣＳＩ処理ユニットの処理方法。
【請求項６】
前記第２のタイプのシグナリングがＢＷＰ切替シグナリングであり、前記第２のタイプのＣＳＩ報告が半永続的ＣＳＩ報告であり、かつ前記ターゲットアップリンクチャネルがアップリンク制御チャネルであれば、前記第１の処理方式は、ＣＳＩ処理ユニットを占有又は解放することであり、
前記ターゲット情報に対応する処理方式で第１のＣＳＩ処理ユニットを処理することは、
前記ソースＢＷＰ上のダウンリンク基準信号リソースに測定を行うＣＳＩ処理ユニットである前記第１のＣＳＩ処理ユニットを占有又は解放することを含む、
請求項３に記載のチャネル状態情報ＣＳＩ処理ユニットの処理方法。
【請求項７】
前記第２のタイプのシグナリングがＢＷＰ切替シグナリングであり、前記第２のタイプのＣＳＩ報告が半永続的ＣＳＩ報告であり、かつ前記ターゲットアップリンクチャネルがアップリンクデータチャネルであれば、前記第１の処理方式は、ＣＳＩ処理ユニットを占有又は解放することであり、
前記ターゲット情報に対応する処理方式で第１のＣＳＩ処理ユニットを処理することは、
前記ソースＢＷＰ上のダウンリンク基準信号リソースに測定を行うＣＳＩ処理ユニットである前記第１のＣＳＩ処理ユニットを占有又は解放することを含む、
請求項３に記載のチャネル状態情報ＣＳＩ処理ユニットの処理方法。
【請求項８】
第１のシグナリングを基地局から受信した後、さらに、
前記ＵＥ中のメディアアクセス制御ＭＡＣエンティティが第２の処理方式で第１のターゲットリソースを処理することを含み、
前記第１のターゲットリソースが前記第１のセル又は前記ソースＢＷＰ上のリソースである、
請求項１に記載のチャネル状態情報ＣＳＩ処理ユニットの処理方法。
【請求項９】
ＵＥにサービスを提供する第１のセルの非アクティブ化を指示するか又は前記ＵＥにソース帯域幅部分ＢＷＰからターゲットＢＷＰに切り替えるように指示する第１のシグナリングを基地局から受信する受信モジュールと、
前記受信モジュールが前記第１のシグナリングを受信した後、ターゲット情報が予め設定された条件を満たすと、前記ターゲット情報に対応する第１の処理方式で第１のチャネル状態情報ＣＳＩ処理ユニットを処理する処理モジュールとを含み、
前記ターゲット情報は、少なくとも前記第１のシグナリングを含み、前記第１のＣＳＩ処理ユニットが第１のダウンリンク基準信号リソースに測定を行うＣＳＩ処理ユニットであり、前記第１のダウンリンク基準信号リソースが前記第１のセル又は前記ソースＢＷＰ上のダウンリンク基準信号リソースである、ユーザ装置ＵＥ。
【請求項１０】
前記処理モジュールは、前記受信モジュールが前記第１のシグナリングを前記基地局から受信した後、前記第１のシグナリングと指示情報に基づいて、前記ターゲット情報を決定し、
前記指示情報は、前記基地局が前記ＵＥに対して指示する第１の情報、又は前記基地局が前記ＵＥに対して指示する前記第１の情報と第２の情報であり、前記第１の情報は、前記ＵＥが前記基地局に送信するＣＳＩ報告のタイプを指示し、前記第２の情報は、前記ＵＥが前記基地局に前記ＣＳＩ報告を送信するアップリンクチャネルを指示し、前記ＣＳＩ報告には前記第１のＣＳＩ処理ユニットによる前記第１のダウンリンク基準信号リソースの測定の結果が含まれる、
請求項９に記載のユーザ装置ＵＥ。
【請求項１１】
前記ターゲット情報に前記第１のシグナリングが含まれれば、前記ターゲット情報が前記予め設定された条件を満たすことは、前記第１のシグナリングが第１のタイプのシグナリングであることであり、
前記ターゲット情報に前記第１のシグナリングと前記ＣＳＩ報告が含まれれば、前記ターゲット情報が前記予め設定された条件を満たすことは、前記第１のシグナリングが第２のタイプのシグナリングであり、かつ前記ＣＳＩ報告が第１のタイプのＣＳＩ報告であることであり、
前記ターゲット情報に前記第１のシグナリング、前記ＣＳＩ報告及び前記アップリンクチャネルが含まれれば、前記ターゲット情報が前記予め設定された条件を満たすことは、前記第１のシグナリングが第２のタイプのシグナリングであり、前記ＣＳＩ報告が第２のタイプのＣＳＩ報告であり、かつ前記アップリンクチャネルがターゲットアップリンクチャネルであることである、
請求項１０に記載のユーザ装置ＵＥ。
【請求項１２】
前記第１のタイプのシグナリングがセル非アクティブ化シグナリングであれば、前記第１の処理方式は、ＣＳＩ処理ユニットを解放することであり、
前記処理モジュールは、前記第１のセル上のダウンリンク基準信号リソースに測定を行うＣＳＩ処理ユニットである前記第１のＣＳＩ処理ユニットを解放する、
請求項１１に記載のユーザ装置ＵＥ。
【請求項１３】
前記第２のタイプのシグナリングがＢＷＰ切替シグナリングであり、かつ前記第１のタイプのＣＳＩ報告が周期的ＣＳＩ報告又は非周期的ＣＳＩ報告であれば、前記第１の処理方式は、ＣＳＩ処理ユニットを占有することであり、
前記処理モジュールは、前記ソースＢＷＰ上のダウンリンク基準信号リソースに測定を行うＣＳＩ処理ユニットである前記第１のＣＳＩ処理ユニットを占有する、
請求項１１に記載のユーザ装置ＵＥ。
【請求項１４】
前記第２のタイプのシグナリングがＢＷＰ切替シグナリングであり、前記第２のタイプのＣＳＩ報告が半永続的ＣＳＩ報告であり、かつ前記ターゲットアップリンクチャネルがアップリンク制御チャネルであれば、前記第１の処理方式は、ＣＳＩ処理ユニットを占有又は解放することであり、
前記処理モジュールは、前記ソースＢＷＰ上のダウンリンク基準信号リソースに測定を行うＣＳＩ処理ユニットである前記第１のＣＳＩ処理ユニットを占有又は解放する、
請求項１１に記載のユーザ装置ＵＥ。
【請求項１５】
前記第２のタイプのシグナリングがＢＷＰ切替シグナリングであり、前記第２のタイプのＣＳＩ報告が半永続的ＣＳＩ報告であり、かつ前記ターゲットアップリンクチャネルがアップリンクデータチャネルであれば、前記第１の処理方式は、ＣＳＩ処理ユニットを占有又は解放することであり、
前記処理モジュールは、前記ソースＢＷＰ上のダウンリンク基準信号リソースに測定を行うＣＳＩ処理ユニットである前記第１のＣＳＩ処理ユニットを占有又は解放する、
請求項１１に記載のユーザ装置ＵＥ。
【国際調査報告】
2021521759.tif 000019
2021521759.tif 000020
2021521759.tif 000021
2021521759.tif 000022